(57)【要約】  ワイヤレスネットワーク内で通信する方法及び装置が、時間ドメイン内で連続したリソース要素を有するアンライセンススペクトルを用いたセルラーコンテキストにおける使用のための発見信号を作成する方法及びシステムを含む。
2017525309.tif 000002
【特許請求の範囲】
【請求項１】
発見信号を送信するｅＮＢであって、
少なくとも２つの事前決定可能周波数バンド内で動作するように構成された送信機、
を含み、
前記少なくとも２つの事前決定可能周波数バンドは、セルラー通信に対してライセンスされた第１のライセンス周波数バンドと、セルラー通信に対してライセンスされていない第２のアンライセンス周波数バンドとを含み、
前記送信機は、前記第２のアンライセンス周波数バンドに関連付けられた発見信号を出力するようにさらに構成され、前記発見信号は、複数のそれぞれのシンボルを表す複数の関連リソース要素を有する少なくとも１つの物理リソースブロックを含み、
前記複数の関連リソース要素のうち少なくとも選択された数のリソース要素が、信号ベアリングリソース要素として所定パターンに従って配置され、前記所定パターンは、前記物理リソースブロックのうち少なくとも所定部分に及ぶように適合される、
ｅＮＢ。
【請求項２】
前記所定パターンは、複数のシンボルの少なくとも１つのリソース要素を占有するように配置され、あるいは、
前記所定パターンは、前記物理リソースブロックのすべてのシンボルの少なくとも１つのリソース要素を占有するように配置され、あるいは、
前記所定パターンは、共通のサブキャリアを有する時間的に異なる又は連続のリソース要素を含み、あるいは、
前記所定パターンは、複数の時間的に連続のリソース要素を含む、
請求項１に記載のｅＮＢ。
【請求項３】
前記所定パターンは、別個のそれぞれのサブキャリアを有する複数のリソース要素を含み、あるいは、
前記所定パターンは、連続のそれぞれのサブキャリアを有する複数のリソース要素を含み、あるいは、
前記所定パターンは、それぞれの連続のサブキャリアとそれぞれの連続のシンボルとを有する複数のリソース要素を含む、
請求項１に記載のｅＮＢ。
【請求項４】
前記所定パターンは、各シンボルの中に少なくとも１つの信号ベアリングリソース要素を含み、あるいは、
前記所定パターンは、すべてのシンボルの中に少なくとも１つの信号ベアリングリソース要素を含み、あるいは、
前記送信機は、前記物理リソースブロックの１つ以上の空きリソース要素を信号ベアリングリソース要素で埋めるように構成される、
請求項１に記載のｅＮＢ。
【請求項５】
前記送信機は、前記発見信号を周期的又は非周期的に出力するように構成され、あるいは、
当該ｅＮＢは複数のステートを含み、第１のステートはＯＮステートであり、第２のステートはＯＦＦステートであり、前記送信機は前記ＯＦＦステートの間、前記発見信号を送信するようにさらに構成され、あるいは、
当該ｅＮＢは複数のステートを含み、第１のステートはＯＮステートであり、第２のステートはＯＦＦステートであり、前記送信機は前記ＯＦＦステートの間、前記発見信号のみ送信するようにさらに構成される、
請求項１に記載のｅＮＢ。
【請求項６】
アンライセンス周波数バンドに関連付けられた発見信号を受信し及び処理するユーザ機器であって、
ライセンス周波数バンドとアンライセンス周波数バンドとのうち少なくとも１つの中で選択的に動作可能であって前記アンライセンス周波数バンド内で複数のシンボルに及ぶ発見信号を伝える少なくとも複数のサブキャリアを受信するように構成された調節可能な受信機であって、前記発見信号は、送信ポイントに関連付けられた識別データを少なくとも有する１つ又は１つより多くのリソース要素と、当該ユーザ機器と前記送信ポイントとの間のワイヤレス通信における使用に利用可能な１つ又は１つより多くのリソース要素とを伝える、受信機、
を含むＲＦフロントエンドと、
前記発見信号を伝える前記複数のサブキャリアを復調するように構成された復調器と、
前記の復調されたサブキャリアを処理して前記識別データを抽出し、当該ユーザ機器と前記送信ポイントとの間のワイヤレス通信における使用に利用可能な前記１つ又は１つより多くのリソース要素を識別するように構成された処理回路と、
前記送信ポイントに対する信号を出力するように構成された送信機であって、前記信号は、当該ユーザ機器と前記送信ポイントとの間のワイヤレス通信における使用に利用可能な前記１つ又は１つより多くのリソース要素のうち１つ又は１つより多くにより運ばれる、送信機、及び、
前記受信機は、前記ワイヤレス通信のための前記１つ又は１つより多くの利用可能なリソース要素に関連付けられた１つ又は１つより多くの信号を受信するように動作可能であるようにさらに構成される、
のうち少なくとも１つと、
を含むユーザ機器。
【請求項７】
前記識別データはセル固有参照信号を含む、請求項６に記載のユーザ機器。
【請求項８】
ユーザ機器とのワイヤレス通信をサポートするｅＮＢであって、
複数のそれぞれのサブキャリアによって運ばれる予約データ及び識別データのうち少なくとも１つを出力するように構成された処理回路を含むプロセッサと、
アンライセンス周波数バンドを通じて動作可能な送信機であって、該送信機は、それぞれの複数のリソース要素を伝える複数のＯＦＤＭシンボルを出力するように配置され、１つ又は１つより多くのＯＦＤＭシンボルのリソース要素のうち１つ以上が、前記予約データ及び識別データのうち少なくとも１つを伝えて、当該ｅＮＢとユーザ機器との間のワイヤレス通信をサポートする前記アンライセンス周波数バンドの少なくとも部分を予約し、前記複数のＯＦＤＭシンボルは、当該ｅＮＢと前記ユーザ機器との間のワイヤレス通信をサポートすることにおける使用のための複数の利用可能リソース要素をさらに伝える、送信機と、
を含むｅＮＢ。
【請求項９】
前記複数のＯＦＤＭシンボルを出力するアンテナ、をさらに含む請求項８に記載のｅＮＢ。
【請求項１０】
ワイヤレス通信の方法であって、
送信ポイントに関連付けられた識別データを生成するステップと、
アンライセンススペクトルを通じた送信のための発見信号を作成するステップであって、前記発見信号は、ある数のリソース要素を含み、少なくとも１つのリソース要素が、送信ポイントに関連付けられた前記識別データを伝え、前記発見信号は、前記送信ポイントに関連付けられた識別データを伝える前記少なくとも１つのリソース要素に関連付けられた１つ又は１つより多くのさらなるリソース要素をさらに伝え、前記１つ又は１つより多くのさらなるリソース要素は、前記送信ポイントとのワイヤレス通信に利用可能である、ステップと、
前記発見信号を前記アンライセンススペクトルを通じてワイヤレス送信するステップと、
を含む方法。
【請求項１１】
前記発見信号を作成するステップは、前記発見信号のうちいずれのリソース要素が占有されていないリソース要素であるかを決定することと、前記占有されていないリソース要素を含むそれぞれのシンボルの関連リソース要素のうち少なくとも１つのリソース要素が、少なくとも１つの占有されたリソース要素を追加的に含むことを確保することと、を含む、請求項１０に記載の方法。
【請求項１２】
前記発見信号を作成するステップは、それぞれのリソース要素を有する少なくとも複数のシンボルの少なくとも１つのリソース要素を、少なくとも１つのそれぞれのサブキャリアで埋めることを含み、場合により、前記少なくとも１つのそれぞれのサブキャリアは前記識別データを伝達する、請求項１０に記載の方法。
【請求項１３】
前記発見信号を作成するステップは、複数のシンボルのうち少なくとも１つのシンボルの少なくとも１つの占有されていないリソース要素を埋めることを含み、あるいは、
前記発見信号を作成するステップは、複数のシンボルのうち選択された数のシンボルの少なくとも１つの占有されていないリソース要素を埋めることを含み、あるいは、
前記発見信号を作成するステップは、複数のシンボルのうちすべてのシンボルの少なくとも１つの占有されていないリソース要素を埋めることを含む、
請求項１０に記載の方法。
【請求項１４】
コンピュータに請求項１０乃至１３のうちいずれか１項に記載の方法を実行させるコンピュータプログラム。
【請求項１５】
請求項１４に記載のコンピュータプログラムを記憶したマシン読取可能記憶媒体。
【発明の詳細な説明】
【背景技術】
【０００１】
関連出願の相互参照
本出願は、2014年6月23日に申請され“Transmission  of  Discovery  Signal  on  LTE-U”と題された米国仮特許出願第62/016,006号と2014年12月23日に申請され“Communication  System  and  Methods”と題された米国特許出願第14/581,938号とに対する優先を主張し、上記出願の開示全体が、本明細書において参照により援用される。
【０００２】
５Ｇセルラー通信に関する次世代のワイヤレスモバイル通信の開発が進行中である。スペクトルは常に高価であり、エンジニアは、次世代サービスを提供するのにミリ波周波数を考えている。
【０００３】
しかしながら、上記スペクトルは現在使用されておらず、マルチギガビットワイヤレス通信を実現するのに使用される可能性があると同時に、こうした周波数における電磁波は高い減衰及び高い経路損失を被り、このことが結果として実現可能なセルサイズを限定することが当該分野内でよく知られている。
【０００４】
経路損失に対処することについて、様々な手法が存在する。上記手法には、１つ又は１つより多くのダイバーシティ手法、例えば、２つ以上の異なる送信信号が使用されて全体スループットを増加させる空間ダイバーシティ／多重化、及び、同じ信号についての２つ以上のインスタンスが使用されて通信信頼性を向上させるビームフォーミングなどを使用することが含まれる。
【０００５】
上記のことにかかわらず、ミリ波はいくつかのビームフォーミングの技術的チャレンジを提示しており、上記チャレンジには、第１に遅延拡散及び角度拡散、及び第２にビームミスアライメントが含まれる。遅延拡散及び角度拡散は、例えば屋内などに見られる非見通し線（Non-Line  Of  Sight）（ＮＬＯＳ）条件下で特に問題になり、ビームミスアライメントは、チャネルステート情報又はビームトラッキングが例えば測定誤差とユーザ機器モビリティとのうち少なくとも１つ以上に起因して不正確であるときに生じる。
【図面の簡単な説明】
【０００６】
本発明の実施形態についての態様、特徴、及び利点が、添付の図面を参照して、発明についての下記の説明から明らかになる。図面において、同様の番号は同様の要素を示す。
【図１】進化型パケットシステムを示す。
【図２】セルラーシステムの第１のビューを例示する。
【図３】図２のセルラーシステムのスモールセルのビューを表す。
【図４】既知のリソースブロックのビューを示す。
【図５Ａ】実施形態に従う発見信号を示す。
【図５Ｂ】実施形態に従う発見信号を示す。
【図６Ａ】実施形態に従う発見信号を例示する。
【図６Ｂ】実施形態に従う発見信号を例示する。
【図７Ａ】実施形態に従う発見信号を表す。
【図７Ｂ】実施形態に従う発見信号を表す。
【図８Ａ】実施形態に従う発見信号を示す。
【図８Ｂ】実施形態に従う発見信号を示す。
【図９Ａ】実施形態に従う発見信号を例示する。
【図９Ｂ】実施形態に従う発見信号を例示する。
【図１０】実施形態に従うｅＮＢ１０００を表す。
【図１１Ａ】実施形態に従うフローチャートを示す。
【図１１Ｂ】実施形態に従うフローチャートを示す。
【図１２】実施形態に従う受信機システムを例示する。
【図１３】実施形態に従うフローチャートを表す。
【図１４】一実施形態に従うシステムを示す。
【図１５】一実施形態に従うユーザ機器を例示する。
【発明を実施するための形態】
【０００７】
図１は、進化型パケットシステム（Evolved  Packet  System）（ＥＰＳ）１００、すなわち、Ｅ−ＵＴＲＡＮを示している。ＥＰＳ１００は、進化型パケットコア（Evolved  Packet  Core）（ＥＰＣ）１０２、ｅノードＢ（eNode  B）（ｅＮＢ）１０４、ユーザ機器（ＵＥ）１０６、及びオペレータパケットデータネットワーク１０８を含むことができる。
【０００８】
ＥＰＣ１０２は、モバイルマネジメントエンティティ（mobile  management  entity）（ＭＭＥ）１０２−２を有する。ＥＰＣ１０２は、サービングゲートウェイ（Ｓ−ＧＷ）１０２−４、及びパケットデータネットワークゲートウェイ（Ｐ−ＧＷ）１０２−６をさらに含む。Ｓ−ＧＷ１０２−４は、ＵＥ１０６を扱う（serving）ｅＮＢ１０４とパケットを交換するように動作可能である。Ｓ−ＧＷ１０２−４は、事実上、ＵＥ１０６とＰ−ＧＷ１０２−６との間のデータ交換をサポートするルータとして動作する。Ｐ−ＧＷ１０２−６は、外部のパケットデータネットワーク、例えばネットワーク１０８などに対するゲートウェイの役割を果たす。Ｐ−ＧＷ１０２−６は、他の機能、例えば、アドレス割り振り、ポリシー強制、パケットフィルタリング及びルーティングなどをさらに実行する。パケットデータネットワークゲートウェイ１０２−６は、ＳＧｉインターフェースを介して外部のパケットデータネットワークと通信することが十分理解され得る。
【０００９】
ＭＭＥ１０２−２は、データパケットがＭＭＥ１０２−２を通過しないようなシグナリングを実行する。ＭＭＥ１０２−２は、シグナリングからデータを切り離して、シグナリング及びデータについて別個に、容量の発展をサポートする。ＭＭＥ１０２−２は、ＵＥ１０６関与についての多くの態様、例えば、ＵＥ１０６のページング、トラッキングエリア管理、認証、ゲートウェイ選択、ローミング、及びセキュリティなどを制御するように動作可能である。
【００１０】
ｅＮＢ１０４は、エアインターフェース、ＬＴＥ−Ｕｕを提供することについて責任を負い、上記エアインターフェースを介して、ＵＥ１０６は、パケットを送信し、受信することができる。ｅＮＢ１０４は、様々な機能、例えば、ＵＥ１０６がＥＰＳ１００にアクセスすることを可能にするアドミッション制御（admission  control）、及び無線リソース管理などを実行する。
【００１１】
ｅＮＢ１０４とＭＭＥ１０２−２とは、Ｓ１−ＭＭＥインターフェースを介して通信する。図示されていないが、場合により、ｅＮＢ１０４は、Ｘ２インターフェースを介して直接的にか、又はＳ１−ＭＭＥインターフェースを介して間接的にかのいずれかで、１つ以上の他のｅＮＢに対して接続されることができる。
【００１２】
ｅＮＢ１０４は、一組のｅノードＢ又は送信ポイントの一実施形態である。こうした一組のｅノードＢ又は送信ポイントは、１つ又は１つより多くのｅノードＢ又は送信ポイントを含むことができる。ｅＮＢ１０４がＵＥ１０６を扱うものとして例示されているので、
該ｅＮＢはアクティブなｅノードＢ又は送信ポイントであるといわれる。したがって、ｅＮＢ１０４は、一組のアクティブなｅノードＢ又は送信ポイントの一実施形態である。こうした一組のアクティブなｅノードＢ又は送信ポイントは、１つ又は１つより多くのアクティブなｅノードＢ又は送信ポイントを含むことができる。反対に、ｅＮＢ１０４が、ＵＥ１０６又は任意の他のＵＥを扱っていない場合、該ｅＮＢは、非アクティブなｅノードＢ又は送信ポイントであるといわれることになり、ｅＮＢ１０４は、一組の非アクティブなｅノードＢ又は送信ポイントの一実施形態であることになる。こうした一組の非アクティブなｅノードＢ又は送信ポイントは、１つ又は１つより多くの非アクティブｅノードＢ又は送信ポイントを含むことができる。典型的に、ネットワーク、例えばモバイルネットワークなどは、一組のアクティブｅノードＢ又は送信ポイントと一組の非アクティブｅノードＢ又は送信ポイントとを含む一組のｅノードＢ又は送信ポイントを有する。ｅＮＢが「ｅノードＢ又は送信ポイント」属の一種であり得ることと、本発明の実施形態が１つ又は１つより多くのｅノードＢ又は送信ポイントを用いて実装され又は実現され得ることとを、当業者は理解する。
【００１３】
ＥＰＣ１０２は、ホーム加入者サーバ（home  subscriber  server）（ＨＳＳ）１０２−８を含む。ＨＳＳ１０２−８は、１つ又は１つより多くのＵＥ例えばＵＥ１０６などに関連付けられた加入者データを含む、中央アクセス可能データベースである。
【００１４】
上記で説明された様々なインターフェースが実装されて、ＵＥ１０６とＰ−ＧＷ１０２−６との間で、例えばＧＰＲＳトンネリングプロトコルユーザパート（ＧＴＰ−Ｕ）、及び例えば汎用ルーティングカプセル化（Generic  Routing  Encapsulation）（ＧＲＥ）などのユーザプレーンプロトコルを用いてデータが交換されることを、当業者は十分理解する。後半部のＧＲＥは、Ｓ５／Ｓ８インターフェースを実現するのに使用されることができる。
【００１５】
ＥＰＳ１００は、複数のシグナリングプロトコルを使用することができる。エアインターフェースシグナリングが、無線リソース制御（ＲＲＣ）プロトコルを用いて実現され、エアインターフェースシグナリングを介して、ｅＮＢ１０４が、ＵＥ１０６により使用される無線リソースに影響を与え、あるいはその他の方法で該無線リソース制御を制御することができる。Ｓ１−ＭＭＥリンク又はインターフェースは、Ｓ１アプリケーションプロトコル（Ｓ１−ＳＰ）を用いて実現される。
【００１６】
ＭＭＥ１０２−２は、２つのエアインターフェース非アクセス層（non-access  stratum）プロトコルを用いてＵＥ１０６を制御することができ、該プロトコルは、外部パケットデータネットワーク１０８に関連付けられたデータストリームを制御するＥＰＳセッション管理（ＥＳＭ）プロトコル、及び、ＥＰＣ１０２の内部動作を管理するＥＰＳモビリティ管理（ＥＭＭ）プロトコルである。ＥＭＭメッセージ及びＥＭＳメッセージが、ＲＲＣメッセージ及びＳ１−ＡＰメッセージを用いて、Ｓ１−ＭＭＥインターフェース及びＬＴＥ−Ｕｕインターフェースを用いて、ＵＥ１０６との間で交換される。
【００１７】
Ｓ１１インターフェースシグナリング及びＳ５／Ｓ８インターフェースシグナリングは、ＧＰＲＳトンネリングプロトコル制御パート（ＧＴＰ−Ｃ）を用いて実装される。
【００１８】
ＥＰＣ１０２は、ポリシー制御ルール機能（Policy  Control  Rule  Function）（ＰＣＲＦ）ネットワークエンティティ１０２−１０をさらに含むことができる。ＰＣＲＦ１０２−１０は、複数の性能目標を確立することについて責任を負う。性能目標の例には、ＵＥ及びサービスタイプごとのそれぞれの又はコミットされたサービスレベルに基づいて、各セッションについてのサービス品質（ＱｏＳ）及び課金ゴール（goals）のうち少なくとも１つを含むことができる。
【００１９】
図２を参照すると、複数のｅＮＢ（図示されていない）のそれぞれのセルにより提供されるセルラーシステム２００のビューが示されている。ｅＮＢは、上記で説明されたｅＮＢ１０４などのｅＮＢであり得る。例示される実施形態において、セルラーシステム２００は、複数のｅノードＢクラスを含み、該クラスが今度は、それぞれのセルクラス又はセルサイズを定義する。上述されたｅＮＢ１０４などのｅＮＢは、ｅノードＢ又は送信ポイントの一実施形態であることが十分理解されるであろう。ｅノードＢクラスは、１つ又は１つより多くの所定パラメータに関して定義されることができる。所定パラメータがｅノードＢの送信パワーに関連付けられる実施形態が、提供される。所定パラメータがｅノードＢの定格出力パワー（rated  output  power）、ＰＲＡＴ、である実施形態が、提供される。上記ＰＲＡＴは、送信機ＯＮ期間の間にアンテナコネクタにおいて利用可能なシングルキャリア、マルチキャリア、又はキャリアアグリゲーション構成において動作するｅノードＢのキャリアごとの平均パワーレベルである。図２にはさらに、ＵＥ１０６が示されている。
【００２０】
本明細書に説明される実施形態は、基地局すなわちｅＮＢ又は送信ポイント、それぞれのＰＲＡＴを参照したクラスを定義するが、任意の及びすべての実施形態が、何らかの他の定義を用いて実現され得る。例えば、基地局は、別法として又は追加的に、基地局とユーザ機器との間の最小結合損失を参照して、同等にうまく定義され得る。例えば、セクション４．２  ＴＳ３６．１０４  Ｖ１２．０．０は、それぞれの結合損失に従ってワイドエリア基地局、ミディアムレンジ基地局、ローカルエリア基地局、及びホーム基地局を定義する。ワイドエリア基地局は、所定ｄＢ数の基地局対ユーザ機器結合損失、例えば７０ｄＢなどによって特徴付けられる。ミディアムレンジ基地局は、個別の結合損失、例えば５３ｄＢなどによって特徴付けられる。ローカルエリア基地局は、４５ｄＢの基地局対ユーザ機器損失によって特徴付けられる。
【００２１】
異なるｅノードＢ又は送信ポイントに対して、異なるＰＲＡＴが定義され得ることが十分理解されるであろう。セルラーシステム２００を形成するｅＮＢの定格出力パワーＰＲＡＴは、ＰＲＡＴ上限を有さないワイドエリアｅノードＢ又は送信ポイント、例えば＋３８ｄＢｍなどの第１の個別レベルより小さいか又は等しいＰＲＡＴ上限を有するミディアムレンジｅノードＢ又は送信ポイント、例えば＋２４ｄＢｍなどの第２の個別レベルより小さいか又は等しいＰＲＡＴ上限を有するローカルエリアｅノードＢ又は送信ポイント、及び、少なくとも第３の個別レベルより小さいか又は等しいＰＲＡＴ上限を有するホームｅノードＢ又は送信ポイントに対応する。上記第３の個別レベルは、例えば、例えば１などの第１の個別の送信アンテナポート数について＋２０ｄＢｍ、例えば２などの第２の個別の送信アンテナポート数について＋１７ｄＢｍより小さいか又は等しく、例えば４などの第３の個別の送信アンテナポート数について＋１４ｄＢｍ、及び、例えば８などの第４の個別の送信アンテナポート数について＋１１ｄＢｍ、などである。
【００２２】
図２において、複数のより大きいセル２０２乃至２１４が提供される。例示される実施形態において、８個のこうしたより大きいセル２０２乃至２１３が提供される。より大きいセル２０２乃至２１４は、ワイドエリアｅノードＢとして分類されることが可能なｅＮＢに対応する。複数のより小さいセル２１６乃至２２６が提供される。例示される実施形態において、６個のこうしたより小さいセル２１６乃至２２６が提供される。より小さいセル２１６乃至２２６は、ミディアムレンジｅノードＢとして分類されることが可能なｅＮＢに対応する。
【００２３】
複数のさらにより小さいセルがさらに提供される。例示される実施形態において、２１個のこうしたさらにより小さいセルが提供される。さらにより小さいセルは、ローカルエリアｅノードＢ及びホームｅノードＢのうち少なくとも一方として分類されるｅＮＢに対応し、一般にスモールセルと言われる。それぞれのｅＮＢすなわち基地局により提供されるスモールセルが、図３においてより詳細に示される。
【００２４】
図３は、スモールセル３０２乃至３４２のビュー３００を示している。例示される実施形態において、上記さらにより小さいセルは、複数のセルパターンへとグループ化されることができ、セル３０２乃至３１４が、ある個別数のセルを含む第１のセルパターンを形成し、セル３１６乃至３２８が、ある個別数のセルを含む第２のセルパターンを形成し、セル３３０乃至３４２が、ある個別数のセルを含む第３のセルパターンを形成する。例示される実施形態において、第１乃至第３のセルパターンは、繰り返しの７セルのパターンから形成される。例示される実施形態において、さらにより小さいセルは、基地局のうちホーム基地局クラスに対応するｅＮＢを有する。実施形態は、共通の繰り返しのセルパターンを使用するが、実施形態はこのことに限定されない。さらにより小さいセルがセルパターンを形成しない実施形態が、実現され得る。別法として又は追加的に、第１乃至第３のセルパターンが繰り返しセルパターンとは異なる、具体的には７セルのパターンとは異なる実施形態が、実現され得る。
【００２５】
スモールセル３０２乃至３４２のうち１つ又は１つより多くが、所定の又は選択可能な範囲の周波数を用いて動作することができる。例えば、スモールセル３０２乃至３４２のうち１つ以上が、セルラー使用に対してライセンスされた（licensed）周波数、例えば、ＬＴＥ−Ａシステムによる使用のためにライセンスされた周波数などで動作するように構成されることができる。同様に、より大きいセル２０２乃至２２６のうち１つ又は１つより多くが、所定の又は選択可能な範囲の周波数を用いて動作するように構成されることができる。例えば、より大きいセル２０２乃至２２６のうち１つ以上が、セルラー使用に対してライセンスされた周波数、例えば、ＬＴＥ−Ａシステムによる使用のためにライセンスされた周波数などで動作するように構成されることができる。
【００２６】
さらに、スモールセル３０２乃至３４２のうち１つ又は１つより多くが、異なる所定の又は異なる選択可能な範囲の周波数を用いて動作することができる。例えば、スモールセル３０２乃至３４２のうち１つ以上が、セルラー使用に対してライセンスされていない周波数、例えば、ＬＴＥ−Ａシステムによる使用のためにライセンスされていない周波数などで動作するように構成されることができる。同様に、より大きいセル２０２乃至２２６のうち１つ又は１つより多くが、異なる所定の又は異なる選択可能な範囲の周波数を用いて動作するように構成されることができる。例えば、より大きいセル２０２乃至２２６のうち１つ以上が、セルラー使用に対してライセンスされていない周波数、例えば、ＬＴＥ−Ａシステムによる使用のためにライセンスされていない周波数などで動作するように構成されることができる。こうした免許不要のスペクトル（アンライセンススペクトル）（unlicensed  spectrum）におけるＬＴＥの動作は、ＬＴＥアンライセンスト（LTE-Unlicensed）（ＬＴＥ−Ｕ）又はライセンス支援アクセス（Licensed-Assisted  Access）（ＬＡＡ）といわれる。
【００２７】
またさらに、１つ又は１つより多くのｅＮＢ２０２乃至３４２が、免許されたスペクトル（ライセンススペクトル）（licensed  spectrum）内でＬＴＥを使用し、及びアンライセンススペクトル内でＬＴＥを使用するように構成される実施形態が、実現され得る。こうしたｅＮＢによる、ライセンススペクトルにおけるＬＴＥ及びアンライセンススペクトルにおけるＬＴＥの使用は、同時であり得る。
【００２８】
図２のセルラーネットワークは、ライセンスＬＴＥスペクトル又はアンライセンススペクトルのうち少なくとも１つを用いて動作するように構成された任意クラスのｅＮＢの混合を含むことができる。したがって、図２のセルラーネットワークは、アンライセンススペクトル内でＬＴＥを用いて動作するように構成された１つ又は１つより多くのｅＮＢと、ライセンススペクトル内でＬＴＥを使用するように構成された１つ又は１つより多くのｅＮＢとを含むことができる。
【００２９】
ｅＮＢ２０２乃至３４２のうち１つ又は１つより多くのｅＮＢがライセンススペクトル内でＬＴＥを使用するときに所定のクラス、タイプ、又は信号の１つ若しくは１つより多くの組を運ぶ（carry）ように構成されることができる実施形態が、実現され得る。例えば、ｅＮＢ２０２乃至３４２のうち１つ又は１つより多くのｅＮＢが、規定のメトリック、例えば規定のサービス品質などを有するシグナリング又はデータを運ぶように構成されることができる。所定のクラス、タイプ、又は信号の組は、アップリンク及びダウンリンクのうち少なくとも一方に関連付けられることができる。ｅＮＢ２０２乃至３４２のうち１つ又は１つより多くのｅＮＢがアンライセンススペクトル内でＬＴＥを使用するときに所定のクラス、タイプ、又は信号の１つ若しくは１つより多くの組を運ぶように構成されることができる実施形態が、実現され得る。例えば、ｅＮＢ２０２乃至３４２のうち１つ又は１つより多くのｅＮＢが、規定のメトリック、例えば規定のサービス品質などを有するデータを運ぶように構成されることができる。
【００３０】
ｅＮＢ２０２乃至３４２のうち少なくともペアのｅＮＢが協働し又は協働的に動作して１つ又は１つより多くの共通のユーザ機器にサービス提供することができるまたさらなる実施形態が、実現され得る。ｅＮＢのペアのうちの第１のｅＮＢは、第１の個別目的でライセンススペクトル内でＬＴＥを用いて動作するように構成されることができ、ｅＮＢのペアのうちの第２のｅＮＢは、第２の個別目的でアンライセンススペクトル内でＬＴＥを用いて動作するように構成されることができる。例えば、第１の個別目的が、シグナリング及びデータのうち少なくとも一方を送付することであってもよく、第２の個別目的が、補足的なデータ送付を提供することであってもよい。第１の又はプライマリのｅＮＢは、第２の又はセカンダリのｅＮＢによってサポートされていることが十分理解され得る。プライマリｅＮＢはセカンダリｅＮＢによって、アンライセンススペクトルを用いる後者によって、サポートされる。
【００３１】
上記セル３０２乃至３４２のｅＮＢは、複数の事前定義されたステートのうち１つを有することができる。セルのｅＮＢが２つのステートを有し、該ステートのうち少なくとも一方にある実施形態が、実現され得る。セルのｅＮＢがＯＮステート又はＯＦＦステートのいずれかである実施形態が、実現され得る。ＯＮステートは、セルのｅＮＢがユーザ機器を扱うのに利用可能であるか又は扱っているステートとして定義される。ｅＮＢは、例えば制御信号を送信することによって、ＵＥを扱うのに利用可能であってもよく、上記制御信号は、ユーザ機器がセルのｅＮＢを、該ＵＥにサービスを提供するための好ましいｅＮＢであるとして選択することを可能にする。ＯＮステートは、アクティブなステートの一実施形態である。ＯＮステートにおけるｅＮＢは、アクティブ基地局の一実施形態である。ＯＦＦステートは、セルのｅＮＢがＯＮステートにないステートとして定義される。したがって、ＯＦＦステートの一実施形態は、セルのｅＮＢがユーザ機器を扱うのに利用可能でないステートである。ＯＦＦステートは、非アクティブなステートの一実施形態である。ＯＦＦステートにおけるｅＮＢは、非アクティブ基地局の一実施形態である。
【００３２】
追加的に又は別法として、ｅＮＢは、所定の又は選択可能な周波数バンド、例えばアンライセンス周波数バンドなどの観点から、上記のＯＦＦステートにあり得る。またさらに、ｅＮＢは、追加的に又は別法として、第１の所定の又は選択された周波数バンド、例えばセルラーシステムに対してライセンスされていないアンライセンス周波数バンドに関する限りにおいて、ＯＦＦステートにあり、しかし同時に、第２の所定の又は選択可能な周波数バンド、例えばセルラーシステムに対してライセンスされたライセンス周波数バンドなどに関する限りにおいて、ＯＮステートにあってもよい。アンライセンススペクトル内における発見信号（discovery  signals）又は任意の他のＬＴＥ信号のための所定の又は選択可能な周波数バンドが、３０ＧＨｚ乃至３００ＧＨｚにおいて見られるミリ波周波数を含む実施形態が、実現され得る。さらに、アンライセンススペクトル内における発見信号又は任意の他のＬＴＥ信号のための所定の又は選択可能な周波数が、２８ＧＨｚから及びそれを上回る、最大で上記ミリ波周波数及びそれを含む周波数を含む実施形態が、実現され得る。またさらに、実施形態のうち任意のものが、追加的に又は別法として、アンライセンススペクトル内における発見信号又は任意の他のＬＴＥ信号について、５ＧＨｚ及びそれを上回る周波数を用いて動作することができる。
【００３３】
実施形態は、上記ＯＦＦステートにあるスモールセルｅＮＢ３０２乃至３４２のうち１つ又は１つより多くのｅＮＢを参照して説明されているが、実施形態はこのことに限定されない。追加的に又は別法として、ｅＮＢ２０２乃至３４２のうち１つ又は１つより多くのｅＮＢが上記ＯＦＦステートを有するように構成されることができる実施形態が、実現され得る。
【００３４】
例示される実施形態において、セル３１８、３２４、３２６、３２８、３３８、及び３４０は、アクティブステートにある１つ又は１つより多くのそれぞれのｅＮＢを有する。例示される実施形態において、残りのセルのすべては、上記ＯＦＦステートにある１つ又は１つより多くのｅＮＢを有する。
【００３５】
セル３２６が、ＵＥ１０６とセル３２６とを接続する破線３４４によって、ＵＥ１０６を扱っているアクティブｅＮＢを有するものとして図示されている。セルは、該セルのｅＮＢがＵＥ１０６とのデータ転送又は他の交換をサポートしているか、又はＯＦＦステートに入っておらず上記転送又は他の交換に少なくとも利用可能であるとき、ＵＥを扱っているといわれる。
【００３６】
ＯＮセル３１８、３２６、３２８、３３８、及び３４０の地理的分布は、現在のネットワーク需要に対して準最適であることが十分理解され得る。ＵＥ１０６とサービングセル３２６のｅＮＢ１０４とは双方、該双方の間の分離と該双方の間のチャネル条件とに対して適切な決定されたパワーレベルで送信することになる。さらにより小さいセルの組全体が、少なくとも二組のセル、すなわち、一組のアクティブセルと一組の非アクティブセルとを含むことがさらに十分理解され得る。一組のアクティブなセルは、セル３１８、３２４、３２６、３２８、３３８、及び３４０を含む。一組の非アクティブなセルは、セル３０２、３０４、３０６、３０８、３１０、３１２、３１４、３１６、３２０、３２２、３３０、３３２、３３４、３３６、３４２を含む。
【００３７】
図４は、無線フレーム（図示されていない）のサブフレーム４１０のそれぞれの時間スロット４０６及び４０８に対応する、２つの既知のリソースブロック４０２及び４０４のビュー４００を示している。リソースブロックは、リソースブロックごとの所定のサブキャリア数
【００３８】
【数１】
2017525309.tif 000003
に従い、及び、リソースブロックごとの所定のＯＦＤＭシンボル数
【００３９】
【数２】
2017525309.tif 000004
に従い、所定数のリソース要素（resource  elements）を含む。したがって、リソースブロックごとのリソース要素の数は、ダウンリンクについて、
【００４０】
【数３】
2017525309.tif 000005
により与えられる。例示される実施形態において、通常のサイクリックプレフィックスが使用される仮定において、時間スロットごとに７つのＯＦＤＭシンボルが存在することが仮定される。何らかの他の数のＯＦＤＭシンボルが時間スロットにつき使用される実施形態が実現され得ることが、十分理解されるであろう。例えば、拡張されたサイクリックプレフィックスの場合に、６つのＯＦＤＭシンボルなどである。同様のことが、ＯＦＤＭシンボルがＳＣ−ＦＤＭＡシンボルで置換されるアップリンクに適用される。
【００４１】
図５Ａは、ＯＦＦステートの間のｅＮＢによる送信のための一実施形態に従う発見信号５００Ａのビューを示している。信号５００Ａは、２つのリソースブロック５０２及び５０４を含む。信号５００Ａにおいて、リソースブロック５０２及び５０４は各々、サブフレーム５１０の２つの時間スロット５０６及び５０８に対応する。時間スロットは、時間ドメイン内で、それぞれのシンボル５１２に分割される。例示される信号５００Ａは、時間スロットにつき７つのシンボルを有する。このことは、通常のサイクリックプレフィックスを用いた信号５００Ａから得られる。時間スロットにつき６つのシンボルを結果としてもたらす拡張されたサイクリックプレフィックスを使用する代替的な実施形態が、実現され得る。シンボル５１２の各々は、それぞれの所定数のサブキャリア５１４を有する。図示される信号５００Ａにおいて、各シンボルは１２個のサブキャリアを有する。シンボル５１２がＯＦＤＭシンボルである実施形態が、実現され得る。信号５００Ａは、ＬＴＥ−Ａシステムのダウンリンクに適用されることができる。追加的に又は別法として、シンボルがＳＣ−ＦＤＭＡシンボルである実施形態が実現されてもよく、これはＬＴＥ−Ａシステムのアップリンクに適用されることができる。
【００４２】
サブキャリア５１４は、アンライセンス周波数バンド、すなわち、例えば任意の及びすべての組み合わせにおいて連帯的に及び別々にとられるＬＴＥ及びＬＴＥ−Ａ又は他のＬＴＥ派生標準に使用されるスペクトルのうち任意のものなどのワイヤレスセルラー通信システムによる使用に対してライセンスされていない少なくとも１つのスペクトル、に対応する周波数を有する。
【００４３】
信号５００Ａは、ある数の占有されたリソース要素を含む。占有されたリソース要素は、信号ベアリング（signal  bearing）サブキャリアを有するリソース要素である。信号ベアリングサブキャリアは、データ、シグナリング、又は他の情報を伝達することができ、あるいは、データ、シグナリング、又は他の情報を伝達するように意図されないトーンを単に表現することができる。占有されたリソース要素は、実質上、ｅＮＢ１０４とユーザ機器１０６との間のＬＴＥ‐Ａ通信をサポートすることにおける使用のための、アンライセンススペクトル内の、関連付けられた他のリソース要素を予約する予約トークンとして動作する。アンライセンス周波数バンド内で動作する他の通信システム、具体的には、何らかの形式のリッスンビフォアトーク（Listen  Before  Talk）、ＣＳＭＡ／ＣＡ、ＣＳＭＡ／ＣＤ、又は他の形式の送信前スペクトル感知を使用する通信システムが、占有されたリソース要素を検出し、該占有されたリソース要素のシンボルに少なくとも関連付けられた時間期間内の送信、又は、該リソース要素に対応するサブキャリア若しくは該リソース要素に関連付けられたシンボルについての任意の他の対応するサブキャリアの使用を回避することが、十分理解されるであろう。
【００４４】
例示される信号５００Ａにおいて、サブフレーム５１０のあらゆるシンボル５１２が、１つ又は１つより多くの占有されたリソース要素、すなわち、少なくとも１つの占有されたリソース要素を含むことが十分理解され得る。図５Ａに示される信号５００Ａの実施形態において、あらゆるシンボル５１２が、少なくとも１つの占有されたリソース要素を含むことが十分理解され得る。
【００４５】
ある意味で、各々の占有されたリソース要素の内容は無関係であり得る。しかしながら、別法として又は追加的に、占有されたリソース要素のうち１つ又は１つより多くのリソース要素が、例えば、それぞれのポートの有無にかかわらない、セル固有参照信号、ＣＲＳなどの識別データ、例えば、プライマリ同期信号（ＰＳＳ）又はセカンダリ同期信号（ＳＳＳ）のうち少なくとも１つなどの同期データ、位置決めデータ（positioning  data）、又は任意の他の信号、のうち少なくとも１つを含む実施形態が、実現され得る。
【００４６】
図５Ａの信号５００Ａにおいて、いくつかのインスタンス（instances）５１６乃至５２４が、各シンボルの帯域幅にわたり、複数の共通サブキャリアがそれぞれの占有されたリソース要素を有するものであることが、十分理解され得る。
【００４７】
図５Ｂは、発見信号５００Ｂのさらなる一実施形態を例示する。この信号は、アンライセンススペクトル内でＬＴＥをサポートすることに使用されることができる。信号５００Ｂは、２つのリソースブロック５０２’及び５０４’を含む。例示される信号５００Ｂにおいて、リソースブロックは各々、サブフレーム５１０’のそれぞれの時間スロット５０６’及び５０８’に対応する。時間スロットは、時間ドメイン内で、それぞれのシンボル５１２’に分割される。例示される信号５００Ｂは、時間スロットにつき７つのシンボルを有する。このことは、通常のサイクリックプレフィックスを用いた信号５００Ｂから得られる。時間スロットにつき６つのシンボルを結果としてもたらす拡張されたサイクリックプレフィックスを使用する代替的な実施形態が、実現され得る。シンボル５１２’の各々は、それぞれの所定数のサブキャリア５１４’を有する。図示される信号５００Ｂにおいて、各シンボルは１２個のサブキャリアを有する。シンボル５１２’がＯＦＤＭシンボルである実施形態が、実現され得る。例示される信号５００Ｂは、ＬＴＥ−Ａシステムのダウンリンクに適用されることができる。追加的に又は別法として、シンボルがＳＣ−ＦＤＭＡシンボルである実施形態が実現されてもよく、これはＬＴＥ−Ａシステムのアップリンクに適用されることができる。
【００４８】
サブキャリア５１４’は、アンライセンス周波数バンド、すなわち、例えば任意の及びすべての組み合わせにおいて連帯的に及び別々にとられるＬＴＥ及びＬＴＥ−Ａ又は他のＬＴＥ派生標準に使用されるスペクトルのうち任意のものなどのワイヤレスセルラー通信システムによる使用に対してライセンスされていない少なくとも１つのスペクトル、に対応する周波数を有する。
【００４９】
信号５００Ｂは、ある数の占有されたリソース要素を含む。占有されたリソース要素は、信号ベアリングサブキャリアを有するリソース要素である。信号ベアリングサブキャリアは、データ、シグナリング、又は他の情報を伝達することができ、あるいは、データ、シグナリング、又は他の情報を伝達するように意図されないトーンを単に表現することができる。占有されたリソース要素は、実質上、ｅＮＢ１０４とユーザ機器１０６との間のＬＴＥ‐Ａ通信をサポートすることにおける使用のための、関連付けられた他のリソース要素を予約する予約トークンとして動作する。アンライセンス周波数バンド内で動作する他の通信システム、具体的には、何らかの形式のリッスンビフォアトーク（Listen  Before  Talk）、ＣＳＭＡ／ＣＡ、ＣＳＭＡ／ＣＤ、又は他の形式の送信前スペクトル感知を使用する通信システムが、占有されたリソース要素を検出し、該占有されたリソース要素のシンボルに少なくとも関連付けられた時間期間内の送信を回避し、又は、該リソース要素に対応するサブキャリア若しくは該占有されたリソース要素に関連付けられたシンボルについての任意の他の対応するサブキャリアの使用を控えることが、十分理解されるであろう。
【００５０】
信号５００Ｂにおいて、サブフレーム５１０’のあらゆるシンボル５１２’が、１つ又は１つより多くの占有されたリソース要素、すなわち、少なくとも１つの占有されたリソース要素を含むことが十分理解され得る。図５Ｂに示される信号５００Ｂの実施形態において、あらゆるシンボル５１２’が、少なくとも１つの占有されたリソース要素を含むことが十分理解され得る。
【００５１】
ある意味で、各々の占有されたリソース要素の内容は無関係であり得る。しかしながら、別法として又は追加的に、占有されたリソース要素のうち１つ又は１つより多くのリソース要素が、例えば、それぞれのポートの有無にかかわらない、セル固有参照信号、ＣＲＳなどの識別データ、例えば、プライマリ同期信号（ＰＳＳ）又はセカンダリ同期信号（ＳＳＳ）のうち少なくとも１つなどの同期データ、位置決めデータ、又は任意の他の信号、のうち少なくとも１つを含む実施形態が、実現され得る。
【００５２】
図５Ｂの信号５００Ｂにおいて、いくつかのインスタンス５１６’乃至５２４’が、各シンボルの帯域幅にわたり、複数の共通サブキャリアがそれぞれの占有されたリソース要素を有するものであることが、十分理解され得る。
【００５３】
図５Ｂは、少なくとも１つのレガシー部分５２８’をさらに含む。レガシー部分５２８’は、既存のＬＴＥ−Ａ信号及び他の信号を運ぶように配置される。例示される実施形態において、レガシー部分５２８’は、第１の信号５３０’及び第２の信号５３２’を含む。第１の信号５３０’及び第２の信号５３２’がプライマリ同期信号及びセカンダリ同期信号のうち少なくとも１つである実施形態が、実現され得る。第１のシンボル５３４’はプライマリ同期信号５３０’を伝え（bears）、第２のシンボル５３６’はセカンダリ同期信号を伝えることがわかるであろう。レガシー部分５２８’が何らかの他の１つ又は複数の信号、又は、単一インスタンスの同期信号、又は単一インスタンスの何らかの他のＬＴＥ−Ａ信号を含む実施形態が、実現され得る。
【００５４】
図５Ｂの信号５００Ｂの実施形態は、アンライセンス周波数バンド内でセルラーワイヤレス通信をサポートすることに使用されるリソース要素を予約するだけでなく、さらに、同期をサポートする。
【００５５】
図６Ａ及び図６Ｂは、実施形態に従うさらなる２つの発見信号６００Ａ及び６００Ｂを例示している。信号６００Ａ及び６００Ｂは、アンライセンススペクトル内でＬＴＥをサポートすることに使用されることができる。
【００５６】
図６Ａを参照すると、第１の発見信号６００Ａが示されている。信号６００Ａは、ある数のシンボル６１２を有する２つの物理リソースブロック６０２及び６０４へと配置された複数のリソース要素のリソースグリッド構造を有し、それぞれの数のサブキャリア６１４が、サブフレーム６１０のそれぞれの時間スロット６０６及び６０８に及ぶ。
【００５７】
信号６００Ａは、１つ又は１つより多くの占有されたリソース要素を含むことが十分理解され得る。例示される実施形態において、複数の占有されたリソース要素が、４つのグループ６１６、６１８、６２０、及び６２２において配置されて図示されている。リソース要素は、所定のパターンに従って配置されることが十分理解され得る。示される例において、信号６００Ａのリソース要素は対角線的に配列される。こうした配置において、一グループ又は一組の中のリソース要素は、それぞれのシンボル６１２とそれぞれのサブキャリア６１４とを有する。
【００５８】
占有されたリソース要素は、規定のデータ又は他の情報を伝えるように配置されることができる。隙間の無い（ギャップフリー）（gap-free）設計が実現されている、すなわち、信号６００Ａが１つ又は１つより多くの占有されたリソース要素無しのいかなるシンボルも有さないことが、十分理解され得る。別法で見ると、あらゆるシンボルが、１つ又は１つより多くの占有されたリソース要素を有することが十分理解され得る。
【００５９】
所定数のサブキャリアがさらに占有されることが、さらに留意される。サブフレーム６１０内のリソース要素をコヒーレントに（coherently）累算することによって、すべてのサブキャリア６１４がさらに占有されることが決定されてもよく、このことは、タイミング分解能を支援する。
【００６０】
図６Ｂを参照すると、第２の発見信号６００Ｂが示されている。信号６００Ｂは、アンライセンススペクトル内でＬＴＥをサポートすることに使用されることができる。信号６００Ｂは、ある数のシンボル６１２’を有する２つの物理リソースブロック６０２’及び６０４’へと配置された複数のリソース要素のリソースグリッド構造を有し、それぞれの数のサブキャリア６１４’が、サブフレーム６１０’のそれぞれの時間スロット６０６’及び６０８’に及ぶ。
【００６１】
信号６００Ｂは、１つ又は１つより多くの占有されたリソース要素を含むことが十分理解され得る。例示される実施形態において、複数の占有されたリソースブロックが、１つ又は１つより多くのグループにおいて配置されて図示されており、例示される実施形態は、４つのグループ６１６’、６１８’、６２０’、及び６２２’を有する。リソース要素は、所定のパターンに従って配置されることが十分理解され得る。示される例において、信号６００Ｂのリソース要素は対角線的に配列される。こうした配置において、一グループ又は一組の中のリソース要素は、それぞれのシンボル６１２’とそれぞれのサブキャリア６１４’とを有する。
【００６２】
占有されたリソース要素は、規定のデータ又は他の情報を伝えるように配置されることができる。ギャップフリー設計が実現されている、すなわち、信号６００Ｂが１つ又は１つより多くの占有されたリソース要素無しのいかなるシンボルも有さないことが、十分理解され得る。別法で見ると、あらゆるシンボルが、１つ又は１つより多くの占有されたリソース要素を有することが十分理解され得る。
【００６３】
所定数のサブキャリアがさらに占有されることが、さらに留意される。サブフレーム６１０’内のリソース要素をコヒーレントに累算することによって、すべてのサブキャリア６１４’がさらに占有されることが決定されてもよく、このことは、タイミング分解能を支援する。
【００６４】
信号６００Ｂ内にさらに提供されるのが、レガシー部分６２８’である。レガシー部分６２８’は、ＬＴＥ−Ａ信号及び他の信号のうち少なくとも１つを運ぶように配置される。例示される実施形態において、レガシー部分６２８’は、第１の同期信号６３０’及び第２の同期信号６３２’を含む。第１の同期信号６３０’及び第２の同期信号６３２’がプライマリ同期信号及びセカンダリ同期信号のうち少なくとも１つである実施形態が、実現され得る。第１のシンボル６３４’はプライマリ同期信号６３０’を伝え、第２のシンボル６３６’はセカンダリ同期信号を伝えることが、わかるであろう。レガシー部分６２８’が何らかの他の１つ又は複数の信号、又は単一インスタンスの同期信号、例えば別のＬＴＥ−Ａ信号などを含む実施形態が、実現され得る。
【００６５】
再びになるが、１つ又は１つより多くの占有されたリソース要素を有することは、本質的に、一組の関連付けられたリソース要素を予約することが、十分理解され得る。例示される実施形態において、一組の関連付けられたリソース要素は、それぞれの占有されたリソース要素を含有する任意のシンボルのうちすべての他の占有されていないリソース要素を含む。
【００６６】
本明細書に開示される実施形態は、ギャップフリーである発見信号を構築し、すなわち、すべてのシンボル、又はすべてのシンボルのうち少なくとも選択可能な部分、又は選択可能なシンボルが、少なくとも１つの占有されたリソース要素を有するように配置されることが、十分理解されるであろう。物理リソースブロックのリソース要素のうち１つ又は１つより多くのリソース要素、又は他の単位の無線リソースが、複数の方法で占有された状態にされることができる。例えば、リソースが選択されて信号を送信することができ、該信号は、同期信号、位置決め信号、参照信号、アンテナポート固有参照信号、データ、又はいかなるデータも伝達することを意図されないトーンに関し、すべてが、任意の及びすべての組み合わせにおいて連帯的に及び個々にとられる。データは、例えば、所与のｅＮＢ及びユーザ機器、例えばｅＮＢ１０４又はユーザ機器１０６などに関連付けられたデータであり得る。別法として又は追加的に、データは、現在のｅＮＢ１０４とさらなるユーザ機器との間、又は別のｅＮＢとさらなるユーザ機器との間のやりとりに関連付けられてもよい。
【００６７】
したがって、１つ又は１つより多くのレガシー信号が占有されたリソース要素と組み合わせられて、１つ又は１つより多くの占有されたリソース要素無しのいかなるシンボルも有さない、アンライセンス周波数バンドにおいて送信される信号の一実施形態を作成する実施形態が、実現され得る。こうした実施形態が、図７Ａ及び図７Ｂに表されている。図７Ａ及び図７Ｂの発見信号は、アンライセンススペクトル内でＬＴＥをサポートすることに使用されることができる。
【００６８】
図７Ａを参照すると、発見信号７００Ａが示されている。信号７００Ａは、それぞれの占有されたリソース要素を有するある数のシンボル７０２乃至７１２を含む。信号７００Ａにおいて、１番目のシンボル７０２は、占有されたリソース要素７１４及び７１６を有することが十分理解され得る。図示される実施形態において、リソース要素７１４及び７１６は参照信号、例えばセル固有参照信号などである。
【００６９】
２番目のシンボル７０４及び３番目のシンボル７０６は、それぞれのプライマリ同期信号で占有されたリソース要素を有し、２番目のシンボルは、それぞれのセカンダリ同期信号で占有され、すなわち、発見信号が少なくとも１つのレガシー部分を有する。
【００７０】
またさらなるシンボル７０８、７１０、及び７１２が、占有されたリソース要素をさらに有する。占有されたリソース要素が参照信号、例えば、ある数のリソース要素７１８乃至７２６について見られるとおりのセル固有参照信号などをさらに伝える実施形態が、実現され得る。しかしながら、これらは何らかの他の信号、例えば、１つ以上の位置決め参照信号又は任意の他の信号などを等しく同様に伝えることができる。
【００７１】
しかしながら、１つ又は１つより多くのシンボルが、占有されない。４番目のシンボル７２８、６番目のシンボル７３０、７番目のシンボル７３２、９番目乃至１１番目のシンボル７３４乃至７３８、１３番目のシンボル７４０、及び１４番目のシンボル７４２が、占有されていないリソース要素を有することが十分理解され得る。別法で見ると、物理リソースブロックが、いかなる信号も伝えない占有されていない時間期間を有する。例示される実施形態において、こうした時間期間はシンボルの継続時間に対応する。占有されていないシンボル又は時間期間は、別の送信装置、例えば、ＣＳＭＡ／ＣＡアルゴリズムに従って動作する８０２．１１アクセスポイントなどが、占有されていないシンボル又は占有されていない時間期間に関連付けられたスペクトルの制御を獲得するための機会を表す。占有されていないシンボルに関連付けられたスペクトルの制御を失うことは、将来の（would-be）関連リソース要素を、ＯＦＤＭシンボルとして又はＳＣ−ＦＤＭＡシンボルとして使用不可能な状態にする。
【００７２】
適宜、占有されていないシンボルの少なくとも１つのリソース要素が、該リソース要素を占有された状態にする信号で埋められる（populated）実施形態が、実現され得る。図７Ｂを参照すると、発見信号７００Ｂの一実施形態が示されている。信号７００Ｂは、図７Ａの信号７００Ａと同一であるが、１つ又は１つより多くの信号を追加して、１つ又は１つより多くの以前空のシンボルの１つ又は１つより多くのそれぞれのリソース要素を占有することに関する。したがって、４番目のシンボル７２８、６番目のシンボル７３０、７番目のシンボル７３２、９番目乃至１１番目のシンボル７３４乃至７３８、１３番目のシンボル７４０、及び１４番目のシンボル７４２が、１つ又は１つより多くの占有されたリソース要素を目下有することが、十分理解され得る。４番目のシンボル７２８は、１つ又は１つより多くの占有されたリソース要素を有する。例示される実施形態において、２つのこうした占有されたリソース要素７４２及び７４４が図示されている。６番目のシンボル７３０は、ある数の占有されたリソース要素７４６及び７４８を有する。６番目のシンボル７３０は、２つの占有されたリソース要素を有するものとして例示されているが、何らかの他の数のリソース要素、例えば、１つのリソース要素又は２つより多くのリソース要素などが代わって使用されて、占有されたリソース要素又は占有されたシンボル又は他の占有された時間期間を作り出す実施形態が、実現され得る。７番目のシンボル７３２は、リソース要素７５０及び７５２のペアをさらに含む。同様のことが、９番目乃至１１番目のシンボル７３４乃至７３８、１３番目のシンボル７４０、及び１４番目のシンボル７４２に適用され、これらはすべて、占有されたリソース要素７５４乃至７７２のそれぞれのペアを伝える。
【００７３】
図７Ｂを参照して図示され及び説明される信号７００Ｂは、選択されたペアのリソース要素を埋めることによって、占有されたリソース要素、シンボル、又は他の時間期間を作り出しているが、実施形態は、こうした配置に限定されない。シンボルにつき何らかの他の数のリソース要素がそれぞれの信号で埋められる実施形態が、実現されてもよく、例えば、空のシンボル又は他の期間の１つ又は１つより多くのリソース要素が、それぞれの信号で埋められることができる。
【００７４】
占有されたリソース要素、占有されたシンボル、又は他の占有された時間スロットを作り出すことに使用される信号は、サブキャリア信号である。例えば、サブキャリア信号は、ＬＴＥ信号、例えば、任意の及びすべての組み合わせにおいて連帯的に及び個々にとられる参照信号、位置決め信号、データ信号などであり得る。
【００７５】
典型的なＣＳＭＡ／ＣＡ及びＣＳＭＡ／ＣＤ手法は、ワイヤレス通信についてアンライセンススペクトルを使用するとき、日和見主義の搬送波感知に基づくメカニズムを使用する。こうした手法を使用する装置は、送信を行おうとしている他の装置がそうすることを適当な時間まで控える間に、比較的広い帯域幅を典型的に占有する。比較的広い帯域幅が占有されるとしても、こうした占有は比較的短い時間期間についてであり、この期間は、数百ミリ秒乃至数ミリ秒のオーダのものである。図８Ａ及び図８Ｂは、発見信号８００Ａ及び８００Ｂの実施形態を示しており、信号８００Ａ及び８００Ｂは、所定のアンライセンスの無線リソースのうち関連付けられた部分の使用を先取りする（pre-empt）ことを試行する規定の又は所定の予約継続時間を有する。
【００７６】
図８Ａを参照すると、発見信号である信号８００Ａが示されており、信号８００Ａは、１つ又は１つより多くの埋められたリソース要素８０４乃至８１０を有するシンボル８０２の１つ又は１つより多くの組を含む。本例において、シンボルにつき４つのこうしたリソース要素が図示されていることが十分理解され得る。しかしながら、実施形態は、シンボルにつき何らかの他の数のリソース要素、例えば１つ又は１つより多くのリソース要素などを等しく同様に有することができる。
【００７７】
本例において、埋められるリソース要素はグループ化されて、リソース要素のそれぞれの時間的に連続した組８１２乃至８１８を形成する。本例において、リソース要素の４つの時間的に連続した組８１２乃至８１８が提供されることが十分理解され得る。しかしながら、実施形態は、上記の組数に限定されない。時間的に連続したリソース要素の１つ又は１つより多くの組が提供される実施形態が、実現され得る。
【００７８】
信号８００Ａは、２つの時間スロット８２２及び８２４を有する単一のサブフレーム８２０を含むものとして示されている。一組の４つの時間連続リソース要素が、４シンボルに対応する継続時間に及ぶことが十分理解されるであろう。したがって、例えば、時間スロットにつき７シンボルの場合、予約される無線リソースは、４×０．６７μｓ時間期間に及ぶリソース要素に対応する。一般に、所与のシンボル継続時間のシンボル数の関数である時間期間に及ぶ実施形態が、実現され得る。
【００７９】
したがって、図８Ｂを参照すると、信号８００Ｂの一実施形態が示されている。信号８００Ｂは、図８Ａを参照して説明される信号８００Ａと実質的に同じであり、同じ参照番号が同じ特徴を参照するが、リソース要素の各組８１２乃至８１８について、異なる所定数の時間的に連続したリソース要素を含む。例示される実施形態において、時間的に連続した要素の１つ又は１つより多くの組が、さらなる４つのリソース要素８２６乃至８３２から十分理解され得るとおり、８つのリソース要素を含む。図８Ａの信号８００Ａに関して上記で行われた観察は、図８Ｂの信号８００Ｂに等しく適用可能である。信号８００Ｂの利点は、信号８００Ｂが信号８００Ａに対して向上したトラッキング性能を有することである。
【００８０】
図８Ａ及び図８Ｂを参照して図示され及び説明される信号８００Ａ及び８００Ｂの時間的に連続したリソース要素は、時間スロット及びサブフレームのうち少なくとも１つの所定部分に及ぶことが十分理解され得る。
【００８１】
図８Ａ及び図８Ｂを参照して図示され及び説明される信号のリソース要素は、時間的に連続であることが十分理解されるであろう。しかしながら、実施形態はこうした配置に限定されない。占有されたリソース要素が周波数ドメインにおいて圧縮される実施形態が実現され得る、すなわち、それぞれのサブキャリアがそれぞれの帯域幅及びチャネル間隔等を有するにもかかわらず、物理リソースブロックのリソース要素が周波数ドメイン内で連続であるという意味で、リソース要素が周波数ドメイン内で連続である実施形態が実現され得る。
【００８２】
信号８００Ａ、８００Ｂ、９００Ａ、及び９００Ｂは、時間ドメイン及び周波数ドメインのうち少なくとも１つにおいて分散され又は分散されたであろうリソース要素を通常占有したであろうＬＴＥ信号、例えば、ＰＲＢの全体を通して典型的に分散され、しかし時間ドメイン及び周波数ドメインのうち少なくとも１つにおいて圧縮され又はその他の方法で一緒にグループ化されている分散されたＣＲＳ及び／又はＰＲＳ又は他の信号などから、導出されることができることが十分理解され得る。
【００８３】
図９Ａは、複数（１６個）のリソース要素を含む信号９００Ａの一実施形態を示しており、上記リソース要素は、物理リソースブロック９０８のサブフレーム９０６の２つの時間スロット９０２及び９０４にわたり配置される。１つ又は１つより多くのサブキャリアが、使用されていない、すなわち占有されていないことが十分理解され得る。例示される実施形態において、３番目のサブキャリア９１０及び９番目のサブキャリア９１２が占有されていない。
【００８４】
したがって、図９Ｂは、信号９００Ｂの一実施形態を示している。この実施形態は、信号９００Ａのリソース要素を圧縮し又はその他の方法でグループ化しており、ゆえにリソース要素は、周波数ドメイン内で連続的であるサブキャリアを使用する。例示される信号９００Ｂの実施形態において、最初の１１個のサブキャリアは１つ又は１つより多くの占有されたリソース要素を有し、１２番目のサブキャリア９１６は占有されていないことがわかるであろう。
【００８５】
圧縮され又はその他の方法でグループ化されたサブキャリア９１４は、１つ又は１つより多くの信号から導出されることができる。例えば、サブキャリア９１４は、時間ドメイン内又は周波数ドメイン内で通常グループ化されないであろう信号から導出されることができる。例えば、セル固有参照信号及び位置決め信号のうち少なくとも１つが、物理リソースブロックの全体を通して大抵分散される。こうしたセル固有参照信号及び位置決め信号のうち少なくとも１つが、時間ドメイン及び周波数ドメインのうち少なくとも１つにおいてグループ化される実施形態が実現され得る。
【００８６】
物理リソースブロックの占有されたリソース要素は、時間ドメイン及び周波数ドメインの双方内でグループ化され得ることがさらに十分理解されるであろう。こうした実施形態は、通常分散されるリソース要素をさらにグループ化することができる。再びになるが、圧縮され又はその他の方法でグループ化されたサブキャリア９１４は、１つ又は１つより多くの信号から導出されることができる。例えば、サブキャリア９１４は、時間ドメイン内又は周波数ドメイン内で通常グループ化されないであろう信号から導出されることができる。例えば、セル固有参照信号、同期信号、及び位置決め信号のうち少なくとも１つが、物理リソースブロックの全体を通して大抵分散される。こうしたセル固有参照信号及び位置決め信号のうち少なくとも１つが、時間ドメイン及び周波数ドメインのうち少なくとも１つにおいてグループ化される実施形態が実現され得る。
【００８７】
図１０は、本明細書に説明される発見信号のうち１つ又は１つより多くを送信する一実施形態に従う、所定のアンライセンス周波数バンド内でチャネル例えばＰＤＣＣＨなどの形式で上記の発見信号の作成及び送信を実現するシステム又は装置、例えばｅＮＢ１０００などを表す。
【００８８】
図１０のシステム１０００は、ＰＤＣＣＨと同様に又はＰＤＣＣＨに代わって１つ又は１つより多くの他チャネルに適用され得るアーキテクチャを表す。１つ又は１つより多くの他チャネルは、例えば、別の制御チャネル、又は何らかの他タイプのチャネル、例えば、ＰＢＣＨ、ＰＤＳＣＨ、ＰＣＦＩＣＨ、ＰＤＣＣＨ、ＰＨＩＣＨ、ＰＵＣＣＨ、ＰＵＳＣＨ、及びＰＲＡＣＨなどであり得る。後ろの３つのチャネルは、前のダウンリンクと対照的に、アップリンクである。
【００８９】
アップリンク／ダウンリンク物理チャネルを表すベースバンド信号が、下記の動作及び関連モジュールを用いて定義されることができる。システム１０００は、ビットのブロック１００４を多重化するマルチプレクサ１００２を含み得る。マルチプレクサ１００２は、ビットのブロック１００４に関連付けられた多重化されたビット１００６を出力する。
【００９０】
スクランブラ１００８は、（例えば、物理チャネルを通じた）送信において送信されるビットの多重化されたブロック１００６をスクランブルする（scramble）ように構成される。スクランブラ１００６は、したがって、スクランブルされたビット１０１０を作成するように構成される。
【００９１】
送信機は、チャネルに関する情報を使用して、受信機処理を簡素化し又は向上させる仕方でチャネルに対して送信信号を合わせることができる。受信機は、送信機から受信したトレーニング信号を処理することによって、チャネル関連フィードバック情報を生成することができる。
【００９２】
変調マッパ（modulation  mapper）１０１２は、スクランブルされたビット１０１０を変調して送信のための変調シンボル１０１４を生成するように構成される。こうした生成された変調シンボル１０１４は、複素数値変調シンボルであり得る。
【００９３】
変調マッパ１０１２は、２相位相シフトキーイング（binary  phase  shift  keying）（ＢＰＳＫ）型（constellation）、４相位相シフトキーイング（quadrature  phase  shift  keying）（ＱＰＳＫ）型、及び直交振幅（quadrature  amplitude）（ＱＡＭ）型、例えば、８−ＱＡＭ、１６−ＱＡＭ、６４ＱＡＭなどのうち、少なくとも１つを選択可能に使用するように構成されることができる。使用される変調のタイプは、信号品質又はチャネル条件に依存してもよい。変調マッパ１０１２は、上記の変調型を用いることに限定されない。変調マッパ１０１２は、別法として又は追加的に、何らかの他形式の変調型を使用することができる。
【００９４】
レイヤマッパ１０１６は、複素数値変調シンボル１０１４を、レイヤ化された変調シンボル１０１８の１つ又は１つより多くの送信レイヤ上にマップするように構成される。
【００９５】
プリコーダ１０２０は、送信のためのレイヤ化された変調シンボル１０１８をプリコードするように構成される。プリコーダ１０１２は、送信のための各レイヤ上の複素数値変調シンボル１０１８を、１つ又は１つより多くのそれぞれのアンテナポート１０２２上へエンコードすることができる。プリコーディングは、アンテナドメイン信号処理をビームドメイン処理にコンバートすることに使用されることができる。さらに、１つ又は１つより多くのアンテナポート１０２２は、１つ又は１つより多くのそれぞれのアンテナ、例えば、図示される複数のアンテナ１０２４などにさらに結合されることができる。プリコーダ１０２０により実行されるプリコーディングは、有限の一組のプリコーディングマトリクス１０２６から選ばれることができ、プリコーディングマトリクス１０２６はコードブックと呼ばれ、受信機と送信機との双方に対して既知である。プリコーダ１０２０は、符号化されたシンボル１０２８を出力するように構成される。
【００９６】
リソース要素マッパ１０２０は、プリコーダ１０３０により出力される符号化されたシンボル１０２８を、それぞれのリソース要素にマップするように構成される。リソース要素マッパ１０３０は、任意の及びすべての組み合わせにおいて連帯的に及び個々にとられる、実データシンボル、１つ又は１つより多くの参照信号シンボル、１つ又は１つより多くの位置決め信号、１つ又は１つより多くの同期信号、及び１つ又は１つより多くの制御情報シンボルのうち少なくとも１つを、リソースグリッド内の所定の又は選択されたそれぞれのリソース要素へとマップする。上記マッピングは、例えば、１つ又は１つより多くのリソース要素マップ１０４０に従って実行されることができる。こうした１つ又は１つより多くのリソース要素マップ１０４０の一実施形態が、どのリソース要素が埋められ又はその他の方法で占有されるべきかを規定するテンプレートである。
【００９７】
リソース要素マッパ１０３０は、リソースグリッド内の適切な又は選択可能なリソース要素が本明細書に説明される１つ又は１つより多くの実施形態に従って埋められて、ｅＮＢなどのセルラーシステムによるアンライセンス周波数バンド内での使用のためのギャップフリーの又は他の予約信号を作成することを選択的に確保するように構成される。リソース要素マッパ１０３０は、符号化されたシンボル１０２８を１つ又は１つより多くのＯＦＤＭ信号生成モジュール１０３２に向けることによってマッピングを実現する。
【００９８】
１つ又は１つより多くのＯＦＤＭ信号生成モジュール１０３２は、アンライセンス周波数バンドなどの選択可能周波数バンドに対する、ＲＦフロントエンド１０３８による例えばアップコンバージョンなどの処理の後の１つ又は１つより多くのアンテナ１０２４を介した送信のため、１つ又は１つより多くのアンテナポート１０２２のための複素数値の時分割複信（ＴＤＤ）及び／又は周波数分割複信（ＦＤＤ）ＯＦＤＭ信号を生成するように構成される。
【００９９】
さらに図１０に示されるのがプロセッサ１０３４である。プロセッサ１０３４は処理回路１０３６を含み、処理回路１０３６は、システム１０００の動作を、具体的にリソース要素マッパ１０３０の制御動作に協調させて、本明細書に説明されるギャップフリーの又は他の予約の発見信号を作成するように構成される。処理回路１０３６は、ハードウェア若しくはソフトウェア、又はハードウェア及びソフトウェアの組み合わせを用いて実現されることができる。ソフトウェアは、非一時的な又は他の不揮発の記憶装置、例えば、読取専用メモリなどを用いて記憶されることができる。プロセッサはリソース要素マップ及び関連処理回路又はソフトウェアと一緒に、発見信号生成器、又は発見信号生成器の少なくとも一部の実施形態を構成することが十分理解されるであろう。追加的に又は別法として、図１０に示される配置は、発見信号生成器の少なくとも一部又は全体を構成し得る。
【０１００】
図１０はｅＮＢを参照して説明されているが、実施形態はこのことに限定されない。追加的に又は別法として、何らかの他の送信ポイントが本明細書に説明されるギャップフリーの又は他の予約の信号の実施形態を構築すること及び出力することのうち少なくとも１つをなすように構成される実施形態が、実現され得る。
【０１０１】
図１１Ａを参照すると、図１０に示されるとおりのシステム１０００を動作させる一実施形態に従うフローチャート１１００Ａが示されている。フローチャート１１００Ａにより表される処理動作は、上記で示されたとおり、ハードウェア、マシン実行可能命令若しくはプロセッサ実行可能命令であるソフトウェア、又はハードウェア及び上記ソフトウェアの組み合わせを用いて実施されることができる。
【０１０２】
１１０２Ａにおいて、発見信号、例えば発見信号の上記実施形態のうち１つ以上などが、所定の又は選択可能な周波数バンド、例えば、セルラーシステム及び関連送信に対してライセンスされていない周波数バンドなどを用いた送信のために構築される。例えば、任意の及びすべての組み合わせにおいて連帯的に及び個々にとられる、上記で説明された５ＧＨｚ以上、２８ＧＨｚ以上、及び３０乃至３００ＧＨｚの周波数のうち少なくとも１つである。
【０１０３】
場合により１１０４Ａにおいて、ｅＮＢ又は他の送信ポイントが、リッスンビフォアトーク（ＬＢＴ）手順を実行して、所定の又は選択可能な周波数バンドが干渉から免れるか否かを決定する。ＬＢＴ手順が、所定の又は選択可能な周波数バンドが干渉から免れると決定する場合、上記ｅＮＢ又は他の送信ポイントはＯＦＦステートに入り、該ＯＦＦステートの間、上記実施形態のうち１つ以上に従う発見信号のみが１１０６Ａにおいて送信される。
【０１０４】
図１１Ｂは、上記発見信号のうち１つ又は１つより多くに従う発見信号を構築するフローチャート１１００Ｂを示している。１１０２Ｂにおいて、１つ又は１つより多くの発見信号が、所定の又は選択された周波数バンドを用いた送信のために構築される。周波数バンドは、例えばＬＴＥ−Ａセルラー使用などのセルラー使用に対してライセンスされていない周波数の１つ又は１つより多くのバンドに対応する。
【０１０５】
１１０４Ｂにおいて、構築された信号がギャップフリーであり、又は規定の最小限の占有された部分、例えばある数の連続した占有されたシンボルを有するか否かに関して、決定が行われる。１１０４Ｂにおける決定が否定である場合、空のシンボルに関連付けられた少なくとも１つ又は１つより多くのリソース要素が、選択された信号を用いて１１０６Ｂにおいて埋められ、処理は再度、１１０４Ｂにおいて再開する。前述のことが、受け入れ可能な発見信号が構築されるまで、繰り返される。別法として又は追加的に、１１０６Ｂにおいて実行される、選択可能リソース要素を埋めることは、十分な占有されていないリソース要素を特定し及び埋めて、ギャップフリー信号を結果としてもたらすことができる。
【０１０６】
構築された発見信号がギャップフリーであり、又は十分ギャップフリーである場合、１１０８Ｂにおいて、占有されたリソース要素を有するシンボルに対応する継続時間が受け入れ可能な最小値を満たすか否かに関して、決定が行われる。上記継続時間が不十分であると１１０８Ｂにおいて決定される場合、１つ又は１つより多くの占有されていないリソース要素が、継続時間を増加させるように１１１０Ｂにおいて占有され、処理は再度、１１０８Ｂにおいて再開する。別法として又は追加的に、継続時間が不十分であると１１０８Ｂにおいて考えらえる場合、十分な占有されていないリソース要素が占有されて、継続時間を十分な状態にする。
【０１０７】
場合により、ｅＮＢ又は他の送信ポイントは、アンライセンス周波数バンドを用いて発見信号を送信する前に、１１１２Ｂにおいて、上記で説明されたＬＢＴ手法を使用することができる。
【０１０８】
ｅＮＢ又は他の送信ポイントは、１１１４Ｂにおいて、構築された発見信号を送信し、ＯＦＦステートに入る。発見信号は、本明細書に説明される発見信号の任意のもののうち少なくとも１つ又は１つより多くであり得る。
【０１０９】
図１２を参照すると、一実施形態に従う受信した発見信号を処理するユーザ機器（ＵＥ）の一部のビュー１２００が概略的に示されている。例えば、上記で説明されたｅＮＢ又は他の送信ポイントなどのｅＮＢによって、アンライセンス周波数バンドを用いて送信された発見信号１２０２、例えば、上記で説明されたギャップフリー発見信号のうち１つ以上などが、少なくとも１つ又は１つより多くのアンテナ１２０４を介して受信され、いくつかの例において、複数のアンテナによって受信される。受信した発見信号１２０２は、ＲＦフロントエンド１２０６によって処理される。ＲＦフロントエンド１２０６は、例えば、受信した信号１２０２をフィルタリングするフィルタ（図示されていない）と、低雑音増幅器（図示されていない）とを含むことができる。
【０１１０】
サイクリックプレフィックス除去モジュール１２０８は、上記で言及されたサイクリックプレフィックスのうち任意のものを除去するように配置される。それから、信号１２０２は、シリアルツーパラレル（serial  to  parallel）コンバータ１２１０に通される。シリアルツーパラレルコンバータ１２１０により出力されるシンボルは、フォワード高速フーリエ変換（forward  Fast  Fourier  Transform）モジュール１２１２によって処理される。ＦＦＴモジュール１２１２の出力は、リソース要素選択器１２１４に渡され、リソース要素選択器１２１４は、さらなる処理のためにこの受信ＵＥに対して意図された無線リソースを選択し、他の無線リソースを無視する。なぜならば、他の無線リソースは典型的に、他のＵＥを対象にしているからである。
【０１１１】
選択された無線リソースは、等化器１２１６及びチャネル推定器１２１８によって処理される。チャネル推定器１２１８は、選択された無線リソースを、等化器１２１６の動作への影響を視野に入れて処理する。等化器１２１６の出力は、パラレルツーシリアル（parallel  to  serial）コンバータ１２２０を介してシリアル形式へとコンバートされる。それから、パラレル信号は、復調器１２２２によって処理される。復調器１２２２は、任意の受信データを復調して、上記で説明された発見信号を構成するサブキャリアとシンボルとのうち少なくとも一方、おそらくは双方を回復するように適合され、これは、例えば、ＰＤＣＣＨ及びＥＰＤＣＣＨを表し得る。
【０１１２】
任意の及びすべての組み合わせにおいて連帯的に又は別々にとられたＲＦフロントエンド１２０６、サイクリックプレフィックスモジュール１２０８、シリアルツーパラレルコンバータ１２１０、ＦＦＴモジュール１２１２、リソース要素選択器１２１４、等化器１２１６、チャネル推定器１２１８、パラレルツーシリアルコンバータ１２２０、及び復調器のうち少なくとも１つ以上が、処理要素の例であることが十分理解されるであろう。
【０１１３】
復調器１２２２により出力されるデータは、例えば、それぞれのポートの有無にかかわらない、例えばセル固有参照信号、ＣＲＳなどの識別データと、例えば、プライマリ同期信号ＰＳＳ又はセカンダリ同期信号（ＳＳＳ）のうち少なくとも１つなどの同期データと、任意の及びすべての組み合わせで連帯的に又は別々にとられる位置決め信号と、のうち少なくとも１つを含むことができ、上記データはそれから、ユーザ機器によって、発見信号により暗黙的に予約される無線リソースを用いるｅＮＢとのワイヤレス通信において使用されることができる。
【０１１４】
別法として、又は追加的に、ｅＮＢ又は他の送信ポイントとユーザ機器との間の通信を確立すると、ｅＮＢは、該ｅＮＢとユーザ機器との間の通信をサポートするように、他の無線リソースをＵＥに割り当てることができる。
【０１１５】
図１３を参照すると、実施形態に従うＵＥにより行われる処理を表すフローチャート１３００が示されている。アンライセンススペクトル内のワイヤレス通信をサポートするリソース要素を含む発見信号１２０２が、１３０２において受信される。通常の及び／又は拡張されたサイクリックプレフィックスが、１３０６におけるシリアルツーパラレルコンバージョンの前に、１３０４において除去される。結果として生じるパラレルシンボルが、１３０８においてフォワードＦＦＴにさらされる。ＦＦＴ１２１２の出力が、１３１０においてリソース要素選択器１２１４によって処理されて、受信ＵＥ１２００に対して指定されたリソース要素が選択される。等化が、チャネル推定の有無にかかわらず、１３１２において行われる。等化された選択された無線リソースは、１３１４においてパラレルツーシリアルコンバージョンのために出力され、１３１６において復調される。
【０１１６】
図１４は、一実施形態について、連帯的に及び個々にとられる図１２及び図１３を参照して上記で説明されたとおりのＵＥ１２００を実現する一例示的なシステム１４００を例示している。システム１４００は、１つ以上のプロセッサ１４４０、プロセッサ１４４０のうち少なくとも１つに結合されたシステム制御ロジック１４２０、システム制御ロジック１４２０に結合されたシステムメモリ１４１０、システム制御ロジック１４２０に結合された不揮発メモリ（ＮＶＭ）／記憶装置１４３０、及びシステム制御ロジック１４２０に結合されたネットワークインターフェース１４６０を含む。システム制御ロジック１４２０は、入力／出力装置１４５０にさらに結合されてもよい。システムは、セルラー使用に対してライセンスされていないアンライセンス周波数バンドを通じて送信される発見信号実施形態のうち１つ又は１つより多くを受信し及び処理するように配置される。
【０１１７】
プロセッサ１４４０には、１つ以上のシングルコア又はマルチコアプロセッサが含まれ得る。プロセッサ１４４０には、汎用目的プロセッサ及び／又は専用プロセッサ（例えば、グラフィックスプロセッサ、アプリケーションプロセッサ、ベースバンドプロセッサ等）の任意の組み合わせが含まれてもよい。プロセッサ１４４０は、上記で説明された信号処理を適切な命令又はプログラムを用いて実行するように（すなわち、プロセッサ、又は他のロジック、命令の使用を介して動作するように）動作可能であり得る。命令は、システムメモリ１４１０にシステムメモリ命令１４１４として記憶されてもよく、あるいは、追加的に又は別法として、（ＮＶＭ）／記憶装置１４３０にＮＶＭ命令１４３４として記憶されてもよい。
【０１１８】
システム制御ロジック１４２０は、一実施形態について、任意の適切なインターフェースコントローラを含んで、任意の適切なインターフェースをプロセッサ１４４０のうち少なくとも１つに、及び／又はシステム制御ロジック１４２０と通信する任意の適切な装置又はコンポーネントに提供することができる。
【０１１９】
システム制御ロジック１４２０は、一実施形態について、１つ以上のメモリコントローラを含み、システムメモリ１４１０に対するインターフェースを提供することができる。システムメモリ１４１０が使用されて、システム１４００のためのデータ及び／又は命令をロードし及び記憶することができる。システムメモリ１４１０は、一実施形態について、任意の適切な不揮発メモリ、例えば、適切なダイナミックランダムアクセスメモリ（ＤＲＡＭ）などを含んでもよい。
【０１２０】
ＮＶＭ／記憶装置１４３０には、例えば、データ及び／又は命令を記憶することに使用される１つ又は１つより多くの有形の非一時的なコンピュータ読取可能媒体が含まれ得る。ＮＶＭ／記憶装置１４３０は、任意の適切な不揮発メモリ、例えばフラッシュメモリなどを含んでもよく、かつ／あるいは、任意の適切な不揮発記憶装置、例えば、１つ以上のハードディスクドライブ（ＨＤＤ）、１つ以上のコンパクトディスク（ＣＤ）ドライブ、及び／又は１つ以上のデジタル多用途ディスク（ＤＶＤ）ドライブなどを含んでもよい。
【０１２１】
ＮＶＭ／記憶装置１４３０は、システム１４００がインストールされる装置の物理的部分である記憶リソースを含んでもよく、あるいは、ＮＶＭ／記憶装置１４４０は、必ずしも上記装置の一部でなく、該装置によりアクセス可能であってもよい。例えば、ＮＶＭ／記憶装置１３０は、ネットワークインターフェース１４６０を介してネットワークを通じてアクセスされてもよい。
【０１２２】
システムメモリ１４１０及びＮＶＭ／記憶装置１４３０はそれぞれ、詳細には、例えば命令１４１４及び１４３４それぞれの一時的なコピーと永続的なコピーとを含んでもよい。命令１４１４及び１４３４には、プロセッサ１４４０のうち少なくとも１つにより実行されるときにシステム１４００が図１２及び図１３を参照して上記で説明された処理又は本明細書に説明される任意の他の実施形態の方法を実施することを結果としてもたらす命令が含まれ得る。いくつかの実施形態において、命令１４１４及び１４３４、又は、そのハードウェア、ファームウェア、及び／又はソフトウェアコンポーネントが、追加的に／別法として、システム制御ロジック１４２０、ネットワークインターフェース１４６０、及び／又はプロセッサ１４４０内に位置してもよい。
【０１２３】
ネットワークインターフェース１４６０は、送受信器モジュール１４６４を有し、システム１４００のための無線インターフェースを提供して、１つ以上のネットワーク（例えば、ワイヤレス通信ネットワーク）を通じて及び／又は任意の他の適切な装置と通信することができる。送受信器１４６４は、上記の受信信号の処理を実行する受信器モジュールを実装して、干渉緩和を実現することができる。様々な実施形態において、送受信器１４６４は、システム１４００の他のコンポーネントと統合されることができる。例えば、送受信器１４６４は、プロセッサ１４４０のうちの一プロセッサ、システムメモリ１４１０のうちのメモリ、ＮＶＭ／記憶装置１４３０のうちのＮＶＭ／記憶装置を含んでもよい。ネットワークインターフェース１４６０は、任意の適切なハードウェア及び／又はファームウェアを含んでもよい。ネットワークインターフェース１４６０は、アンテナ又は複数のアンテナ１２０４に動作的に結合されて、ＳＩＳＯ又は複数入力複数出力無線インターフェースを提供することができる。ネットワークインターフェース１４６０は、一実施形態について、例えば、ネットワークアダプタ、ワイヤレスネットワークアダプタ、電話モデム、及び／又はワイヤレスモデムを含んでもよい。
【０１２４】
一実施形態について、プロセッサ１４４０のうち少なくとも１つが、システム制御ロジック１４２０の１つ以上のコントローラのためのロジックと一緒にパッケージ化されてもよい。一実施形態について、プロセッサ１４４０のうち少なくとも１つが、システム制御ロジック１４２０の１つ以上のコントローラのためのロジックと一緒にパッケージ化されて、システムインパッケージ（ＳｉＰ）を形成することができる。一実施形態について、プロセッサ１４４０のうち少なくとも１つが、システム制御ロジック１４２０の１つ以上のコントローラのためのロジックと同じダイ上に統合されてもよい。一実施形態について、プロセッサ１４４０のうち少なくとも１つが、システム制御ロジック１４２０の１つ以上のコントローラのためのロジックと同じダイ上に集積されて、システムオンチップ（ＳｏＣ）を形成することができる。
【０１２５】
様々な実施形態において、Ｉ／Ｏ装置１４５０には、システム１４００とのユーザインタラクションを可能にするように設計されたユーザインターフェース、システム１４００との周辺（ペリフェラル）コンポーネントインタラクションを可能にするように設計されたペリフェラルコンポーネントインターフェース、及び／又はシステム１４００に関連した環境条件及び／又は場所情報を決定するように設計されたセンサを含んでもよい。
【０１２６】
図１５は、システム１４００がＵＥを実現することに使用される一実施形態を示している。上記のユーザ機器は、モバイル装置１５００の形態で実現されることができる。
【０１２７】
さまざまな実施形態において、モバイル装置１５００のユーザインターフェースは、これらに限られないが、ディスプレイ１５０２（例えば、液晶ディスプレイ、タッチスクリーンディスプレイ等）、スピーカー１５０４、マイクロフォン１５０６、１つ以上のカメラ１５０８（例えば、静止画カメラ及び／又はビデオカメラ）、フラッシュライト（例えば、発光ダイオードフラッシュ）、及びキーボード１５１０を含み得る。
【０１２８】
様々な実施形態において、ペリフェラルコンポーネントインターフェースには、これらに限られないが、不揮発メモリポート１５１２、オーディオジャック、及びパワーサプライインターフェースが含まれ得る。
【０１２９】
様々な実施形態において、１つ以上のセンサには、これらに限られないが、ジャイロセンサ、加速度計、近接度センサ、周辺光（ambient  light）センサ、及び測位ユニット（positioning  unit）が含まれ得る。測位ユニットは、さらに、ネットワークインターフェース１４６０の一部であるか又はネットワークインターフェース１４６０と相互作用して、測位ネットワークのコンポーネント、例えば、グローバルポジショニングシステム（ＧＰＳ）衛星と通信することができる。
【０１３０】
様々な実施形態において、システム１５００は、モバイルコンピューティング装置、例えば、これらに限られないが、ラップトップコンピューティングデバイス、タブレットコンピューティングデバイス、ネットブック、モバイル電話等などであってもよい。様々な実施形態において、システム１５００は、より多くの又はより少ないコンポーネント、及び／又は異なるアーキテクチャを有してもよい。
【０１３１】
本明細書における実施形態は、２つのリソースブロックを参照して説明されたが、実施形態はこのことに限定されない。何らかの他の数のリソースブロック、例えば、１つのリソースブロック又は２つより多くのリソースブロックなどが使用される実施形態が、実現され得る。使用されるリソースブロックの数、及び、より詳細には上記リソースブロックのリソース要素の個数（population）又は占有が、ワイヤレス通信のために予約される無線リソースに影響を与える。
【０１３２】
本明細書に説明される実施形態において、サブキャリアは、アンライセンス周波数バンドに対応する、すなわち、例えば、任意の及びすべての組み合わせにおいて連帯的に及び個々にとられるＬＴＥ及びＬＴＥ−Ａ又は他のＬＴＥ派生標準について使用されるスペクトルのうち任意のものなどのワイヤレスセルラー通信システムによる使用に対してライセンスされていないスペクトルに対応する周波数を有する。しかしながら、実施形態はこのことに限定されない。サブキャリアが、アンライセンス周波数及びライセンス周波数に選択可能に対応する周波数、又はアンライセンス周波数とライセンス周波数とのうち少なくとも１つを含むことができる実施形態が、実現され得る。
【０１３３】
様々な実施形態において、ＵＥ及び／又はｅＮＢは、複数のアンテナを含んで、複数入力複数出力（ＭＩＭＯ）送信システムを実装することができ、ＭＩＭＯ送信システムは、様々なＭＩＭＯモードにおいて動作することができ、ＭＩＭＯモードには、シングルユーザＭＩＭＯ（ＳＵ−ＭＩＭＯ）、マルチユーザＭＩＭＯ（ＭＵ−ＭＩＭＯ）、閉ループＭＩＭＯ、開ループＭＩＭＯ、又はスマートアンテナ処理のバリエーションが含まれる。ＵＥは、１つ以上のアップリンクチャネルを介して、何らかのタイプのチャネルステート情報（ＣＳＩ）フィードバックをｅＮＢに提供することができ、ｅＮＢは、受信したＣＳＩフィードバックに基づいて１つ以上のダウンリンクチャネルを調整することができる。ＣＳＩのフィードバック精度は、ＭＩＭＯシステムの性能に影響し得る。
【０１３４】
様々な実施形態において、アップリンクチャネル及びダウンリンクチャネルは、１つ以上の周波数バンドに関連付けられることができ、該周波数バンドは、アップリンクチャネルとダウンリンクチャネルとによって共有されてもよく、されなくてもよい。１つ以上の周波数バンドは、１つ以上のサブバンドへとさらに分割されてもよく、該サブバンドは、アップリンクチャネルとダウンリンクチャネルとによって共有されてもよく、されなくてもよい。アップリンク又はダウンリンクチャネル（広帯域）のための各周波数サブバンド、１つ以上の集約されたサブバンド、又は１つ以上の周波数バンドは、周波数リソースといわれることがある。
【０１３５】
様々な実施形態において、ＵＥは、ＣＳＩフィードバックをｅＮＢに送信することができる。ＣＳＩフィードバックは、チャネル品質インデックス（ＣＱＩ）、プリコーディングマトリクスインジケータ（ＰＭＩ）、及びランク指標（ＲＩ）に関連した情報を含むことができる。ＰＭＩは、コードブック内のプリコーダを参照し、あるいはその他の方法で一意に識別することができる。ｅＮＢは、ＰＭＩにより参照されるプリコーダに基づいて、ダウンリンクチャネルを調整することができる。
【０１３６】
上記ｅＮＢ及びＵＥのコンポーネント及び特徴は、ディスクリート（discrete）回路、特定用途向け集積回路（ＡＳＩＣ）、ロジックゲート、及び／又は単一チップアーキテクチャのうち任意の組み合わせを用いて実装され得る。さらに、ＵＥの特徴は、マイクロコントローラ、プログラマブルロジックアレイ、及び／又はマイクロプロセッサ、又は、適切で妥当な場合には前述のうちの任意の組み合わせを用いて実装され得る。ハードウェア、ファームウェア、及び／又はソフトウェア要素は、集合的に又は個々に、「ロジック」又は「回路」といわれることがあることが留意される。
【０１３７】
下記の発明実施形態は、無線システムの送信機及び受信機を含む様々なアプリケーションにおいて使用され得るが、本発明はこの点に限定されない。本発明の範囲内に具体的に含まれる無線システムには、これらに限られないが、ネットワークインターフェースカード（ＮＩＣ）、ネットワークアダプタ、固定の若しくはモバイルのクライアント装置、中継器、ｅノードＢ若しくは送信ポイント、フェムトセル、ゲートウェイ、ブリッジ、ハブ、ルータ、アクセスポイント、又は他のネットワーク装置が含まれる。さらに、本発明の範囲内の無線システムは、セルラー無線電話システム、衛星システム、双方向無線システム、並びにこうした無線システムを含むコンピューティング装置、例えば、パーソナルコンピュータ（ＰＣ）、タブレット及び関連ペリフェラル装置、パーソナルデジタルアシスタント（ＰＤＡ）、パーソナルコンピューティングアクセサリ、ハンドヘルド通信装置、及び、本質的に関連し得、且つ本発明実施形態の原理が適切に適用され得るすべてのシステムなどにおいて実装されることができる。
【０１３８】
本明細書における実施形態は、１つ又は複数のアンライセンススペクトルについて、ミリ波周波数又は１つ若しくは１つより多くのミリ波周波数バンドを使用する文脈内で説明されている。しかしながら、実施形態はこうした周波数に限定されない。他の周波数バンドが使用され得る実施形態が、実現され得る。
【０１３９】
本明細書に説明される実施形態は、より小さいセルを、マクロセル上にオーバーレイされるものとして示している。しかしながら、実施形態はこのことに限定されない。より小さいセルがマクロセル又は任意の他のセル上にオーバーレイされることなく動作可能な任意の及びすべての実施形態が、実現され得る。
【０１４０】
本発明の実施形態は、ハードウェア、ソフトウェア、又はハードウェア及びソフトウェアの組み合わせの形式で実現され得ることが十分理解されるであろう。任意のこうしたソフトウェアが、揮発性又は不揮発性の記憶装置、例えば、消去可能又は再書き込み可能であるか否かにかかわらず、ＲＯＭなどの記憶装置の形式で、あるいは、メモリ、例えば、ＲＡＭ、メモリチップ、装置若しくは集積回路若しくはマシン読取可能記憶装置、例えば、ＤＶＤ、メモリスティック若しくはソリッドステート媒体などの形式で記憶され得る。記憶装置及び記憶媒体は、命令を含む１つ又は複数のプログラムを記憶することに適した非一時的マシン読取可能記憶装置の実施形態であり、上記命令は、実行されるときに、本願において説明され及び請求される実施形態を実施することが十分理解されるであろう。したがって、実施形態は、本明細書において説明され又は本願において請求されるとおりのシステム、装置、又は方法を実装するためのマシン実行可能コードと、こうしたプログラムを記憶するマシン読取可能記憶装置とを提供する。またさらに、こうしたプログラムは、任意の媒体、例えば、有線又はワイヤレス接続を通じて運ばれる通信信号などを介して、電子的に伝達されてもよく、実施形態は、このことを適切に包含する。
【０１４１】
説明された発見信号は、いくつかの利点、例えば、任意の及びすべての組み合わせにおいて連帯的に及び個々にとられる下記のうち１つ以上などを有することが十分理解されるであろう。
【０１４２】
（１）セル発見及び識別のうち少なくとも一方。上記の発見信号を送信することは、セル又はｅＮＢが１つ又は１つより多くのユーザ機器によって発見され得ることを確保する。特に、発見信号が、セル識別データ又は信号をさらに含む場合。
【０１４３】
（２）アンライセンススペクトル又はアンライセンスキャリアタイプが、ライセンススペクトルを用いるｅＮＢと連続又は併置（collocated）でない場合、何らかの形式のシグナリングが、粗い／周波数同期の取得においてユーザ機器を支援することに有用であり得る。
【０１４４】
（３）ユーザ機器が、アンライセンススペクトル内でＬＴＥを用いて動作している場合、本明細書に説明される発見信号の実施形態は、周波数間及び／又は周波数内（inter  and/or  intra-frequency）ＲＲＭ測定を実行することにおいてユーザ機器を支援することができる。ＯＮステートの間、ＵＥがＣＲＳを使用してこうした測定を実行することができることを、当業者は十分理解する。しかしながら、上記信号はＯＦＦステートの間、利用不可能である。したがって、本明細書に説明される発見信号の実施形態が、こうした測定に使用されることができる。さらに、ユーザ機器が、アンライセンススペクトル内でＬＴＥを用いてｅＮＢに接続されないとき、このユーザ機器は、ハンドオーバ目的で、本明細書に説明される発見信号の実施形態を使用することができる。
【０１４５】
（４）本明細書に説明される発見信号の実施形態が使用されて、ｅＮＢ又は他のネットワークエンティティにチャネル品質情報（ＣＱＩ）を提供し、アンライセンススペクトルを通じたＬＴＥをサポートすることができる。
【０１４６】
（５）データの正しい変調は正確な周波数及び時間トラッキングのうち少なくとも１つを必要とすることを、当業者は十分理解する。本明細書に説明される発見信号の実施形態が使用されて、こうした正確な周波数及び時間トラッキングを実現することができる。
【０１４７】
本新規発明の例示的な実施形態が説明されているが、本発明の範囲から逸脱することなく、多くの変形及び修正が可能である。したがって、本発明実施形態は、上記の具体的開示によって制限されず、むしろ、別記の請求項及びその法的均等物の範囲によってのみ制限される。
【０１４８】
下記の項目（clauses）に従って実施形態が提供される。
【０１４９】
項目１．発見信号を送信するｅＮＢであって、
少なくとも２つの事前決定可能周波数バンド内で動作するように構成された送信機、
を含み、
上記少なくとも２つの事前決定可能周波数バンドは、セルラー通信に対してライセンスされた第１のライセンス周波数バンドと、セルラー通信に対してライセンスされていない第２のアンライセンス周波数バンドとを含み、
上記送信機は、上記第２のアンライセンス周波数バンドに関連付けられた発見信号を出力するようにさらに構成され、上記発見信号は、複数のそれぞれのシンボルを表す複数の関連リソース要素を有する少なくとも１つの物理リソースブロックを含み、
上記複数の関連リソース要素のうち少なくとも選択された数のリソース要素が、信号ベアリングリソース要素として所定パターンに従って配置され、上記所定パターンは、上記物理リソースブロックのうち少なくとも所定部分に及ぶように適合される、
ｅＮＢ。
【０１５０】
項目２．上記所定パターンは、複数のシンボルの少なくとも１つのリソース要素を占有するように配置される、項目１に記載のｅノードＢ。
【０１５１】
項目３．上記所定パターンは、上記物理リソースブロックのすべてのシンボルの少なくとも１つのリソース要素を占有するように配置される、項目２に記載のｅノードＢ。
【０１５２】
項目４．上記所定パターンは、共通のサブキャリアを有する時間的に異なる（disparate）又は連続のリソース要素を含む、項目１に記載のｅノードＢ。
【０１５３】
項目５．上記所定パターンは、複数の時間的に連続のリソース要素を含む、項目１に記載のｅノードＢ。
【０１５４】
項目６．上記所定パターンは、別個の（distinct）それぞれのサブキャリアを有する複数のリソース要素を含む、項目１に記載のｅノードＢ。
【０１５５】
項目７．上記所定パターンは、連続のそれぞれのサブキャリアを有する複数のリソース要素を含む、項目１に記載のｅノードＢ。
【０１５６】
項目８．上記所定パターンは、それぞれの連続のサブキャリアとそれぞれの連続のシンボルとを有する複数のリソース要素を含む、項目１に記載のｅノードＢ。
【０１５７】
項目９．上記所定パターンは、各シンボルの中に少なくとも１つの信号ベアリングリソース要素を含む、項目１に記載のｅノードＢ。
【０１５８】
項目１０．上記所定パターンは、すべてのシンボルの中に少なくとも１つの信号ベアリングリソース要素を含む、項目１に記載のｅノードＢ。
【０１５９】
項目１１．上記送信機は、上記物理リソースブロックの１つ以上の空きリソース要素を信号ベアリングリソース要素で埋めるように構成される、項目１に記載のｅノードＢ。
【０１６０】
項目１２．上記送信機は、上記発見信号を周期的又は非周期的に出力するように構成される、項目１に記載のｅノードＢ。
【０１６１】
項目１３．当該ｅＮＢは複数のステートを含み、第１のステートはＯＮステートであり、第２のステートはＯＦＦステートであり、上記送信機は上記ＯＦＦステートの間、上記発見信号を送信するようにさらに構成される、項目１に記載のｅノードＢ。
【０１６２】
項目１４．当該ｅＮＢは複数のステートを含み、第１のステートはＯＮステートであり、第２のステートはＯＦＦステートであり、上記送信機は上記ＯＦＦステートの間、上記発見信号のみ送信するようにさらに構成される、項目１に記載のｅノードＢ。
【０１６３】
項目１５．アンライセンス周波数バンドに関連付けられた発見信号を受信し及び処理するユーザ機器であって、
ライセンス周波数バンドとアンライセンス周波数バンドとのうち少なくとも１つの中で選択的に動作可能であって上記アンライセンス周波数バンド内で複数のシンボルに及ぶ発見信号を伝える少なくとも複数のサブキャリアを受信するように構成された調節可能な受信機であって、上記発見信号は、送信ポイントに関連付けられた識別データを少なくとも有する１つ又は１つより多くのリソース要素と、当該ユーザ機器と上記送信ポイントとの間のワイヤレス通信における使用に利用可能な１つ又は１つより多くのリソース要素とを伝える、受信機、
を含むＲＦフロントエンドと、
上記発見信号を伝える上記複数のサブキャリアを復調するように構成された復調器と、
上記の復調されたサブキャリアを処理して上記識別データを抽出し、当該ユーザ機器と上記送信ポイントとの間のワイヤレス通信における使用に利用可能な上記１つ又は１つより多くのリソース要素を識別するように構成された処理回路と、
上記送信ポイントに対する信号を出力するように構成された送信機であって、上記信号は、当該ユーザ機器と上記送信ポイントとの間のワイヤレス通信における使用に利用可能な上記１つ又は１つより多くのリソース要素のうち１つ又は１つより多くにより運ばれる、送信機、及び、
上記受信機は、上記ワイヤレス通信のための上記１つ又は１つより多くの利用可能なリソース要素に関連付けられた１つ又は１つより多くの信号を受信するように動作可能であるようにさらに構成される、
のうち少なくとも１つと、
を含むユーザ機器。
【０１６４】
項目１６．上記識別データはセル固有参照信号を含む、項目１４に記載のユーザ機器。
【０１６５】
項目１７．ユーザ機器とのワイヤレス通信をサポートするｅＮＢであって、
ａ．複数のそれぞれのサブキャリアによって運ばれる予約データ及び識別データ（のうち少なくとも１つ）を出力するように構成された処理回路を含むプロセッサと、
ｂ．アンライセンス周波数バンドを通じて動作可能な送信機であって、該送信機は、それぞれの複数のリソース要素を伝える複数のＯＦＤＭシンボルを出力するように配置され、１つ又は１つより多くのＯＦＤＭシンボルのリソース要素のうち１つ以上が、上記予約データ及び識別データのうち少なくとも１つを伝えて、当該ｅＮＢとユーザ機器との間のワイヤレス通信をサポートする上記アンライセンス周波数バンドの少なくとも部分を予約し、上記複数のＯＦＤＭシンボルは、当該ｅＮＢと上記ユーザ機器との間のワイヤレス通信をサポートすることにおける使用のための複数の利用可能リソース要素をさらに伝える、送信機と、
を含むｅＮＢ。
【０１６６】
項目１８．上記複数のＯＦＤＭシンボルを出力するアンテナ、をさらに含む項目１７に記載のｅＮＢ。
【０１６７】
項目１９．ワイヤレス通信の方法であって、
ａ．送信ポイントに関連付けられた識別データを生成するステップと、
ｂ．アンライセンススペクトルを通じた送信のための発見信号を作成するステップであって、上記発見信号は、ある数のリソース要素を含み、少なくとも１つのリソース要素が、送信ポイントに関連付けられた上記識別データを伝え、上記発見信号は、上記送信ポイントに関連付けられた識別データを伝える上記少なくとも１つのリソース要素に関連付けられた１つ又は１つより多くのさらなるリソース要素をさらに伝え、上記１つ又は１つより多くのさらなるリソース要素は、上記送信ポイントとのワイヤレス通信に利用可能である、ステップと、
ｃ．上記発見信号を上記アンライセンススペクトルを通じてワイヤレス送信するステップと、
を含む方法。
【０１６８】
項目２０．上記発見信号を作成するステップは、上記発見信号のうちいずれのリソース要素が占有されていないリソース要素であるかを決定することと、上記占有されていないリソース要素を含むそれぞれのシンボルの関連リソース要素のうち少なくとも１つのリソース要素が、少なくとも１つの占有されたリソース要素を追加的に含むことを確保することと、を含む、項目１９に記載の方法。
【０１６９】
項目２１．上記発見信号を作成するステップは、それぞれのリソース要素を有する少なくとも複数のシンボルの少なくとも１つのリソース要素を、少なくとも１つのそれぞれのサブキャリアで埋めることを含む、項目１９に記載の方法。
【０１７０】
項目２２．上記少なくとも１つのそれぞれのサブキャリアは上記識別データを伝達する、項目２１に記載の方法。
【０１７１】
項目２３．上記発見信号を作成するステップは、複数のシンボルのうち少なくとも１つのシンボルの少なくとも１つの占有されていないリソース要素を埋めることを含む、項目１９に記載の方法。
【０１７２】
項目２４．上記発見信号を作成するステップは、複数のシンボルのうち選択された数のシンボルの少なくとも１つの占有されていないリソース要素を埋めることを含む、項目１９に記載の方法。
【０１７３】
項目２５．上記発見信号を作成するステップは、複数のシンボルのうちすべてのシンボルの少なくとも１つの占有されていないリソース要素を埋めることを含む、項目１９に記載の方法。
【０１７４】
項目２６．ワイヤレス通信のための方法であって、
ａ．ｅＮＢとユーザ機器との間のワイヤレス通信をサポートするために、複数のリソース要素を有するそれぞれのシンボルの１つ又は１つより多くのリソース要素を予約するステップと、
ｂ．上記それぞれのシンボルの上記１つ又は１つより多くのリソース要素のうち少なくとも１つのリソース要素を、上記ｅＮＢに関連付けられた識別データを運ぶ信号で占有するステップと、
ｃ．上記１つ又は１つより多くの予約されたリソース要素と上記の占有されたリソース要素とを含む発見信号を送信するステップと、
を含み、
ｄ．上記それぞれのシンボルの上記リソース要素は、アンライセンス周波数バンドの部分に対応する、
方法。
【０１７５】
項目２７．ワイヤレス通信のための方法であって、
ａ．発見信号を受信するステップであって、上記発見信号は、アンライセンススペクトルに対応するある数のサブキャリアを含み、上記サブキャリアのうち１つ又は１つより多くのサブキャリアが、送信ポイントに、ユーザ機器と上記送信ポイントとの間のワイヤレス通信をサポートする識別データと上記サブキャリアのうち１つ又は１つより多くのさらなる関連サブキャリアとを伝える、ステップと、
ｂ．上記発見信号を処理して上記識別データを回復し、上記１つ又は１つより多くのさらなる関連サブキャリアを識別するステップと、
ｃ．上記識別データと上記１つ又は１つより多くのさらなる関連サブキャリアとを用いてワイヤレス通信信号を送信するステップと、
を含む方法。
【０１７６】
項目２８．上記発見信号は、複数の送信ポイント識別データを有する、項目２７に記載の方法。
【０１７７】
項目２９．上記複数の送信ポイント識別データは、共通のサブキャリアを有する、項目２８に記載の方法。
【０１７８】
項目３０．上記複数の送信ポイント識別データは、共通のシンボルを有する、項目２９に記載の方法。
【０１７９】
項目３１．上記送信ポイント識別データは、時間と周波数とのうち少なくとも１つにおいて配列されて、
ａ．時間同期、
ｂ．周波数同期、
ｃ．それぞれのサブキャリアを有する、或る数のシンボルとある数の上記サブキャリアとのうち少なくとも１つの複数にわたり分散される、
ｄ．タイミング分解能
のうち少なくとも１つを容易にする、項目２７に記載の方法。
【０１８０】
項目３２．アンライセンススペクトルを用いた送信のためのワイヤレス信号を構築する方法であって、
ａ．時間ドメイン及び周波数ドメインにおいて区分された所定無線リソースを選択するステップであって、上記周波数ドメイン区分はそれぞれのアンライセンス周波数に対応する、ステップと、
ｂ．各時間ドメイン区分について、上記周波数ドメイン信号のうちそれぞれ１つに関連付けられた周波数を有する少なくとも１つの信号を生成することにより、信号を作り出すステップと、
ｃ．上記時間ドメイン区分の各々の上記信号を組み合わせることにより、組み合わせられた信号を作成するステップと、
ｄ．上記の組み合わせられた信号を送信のために出力するステップと、
を含む方法。
【０１８１】
項目３３．実行されたときに項目１９乃至３１のうちいずれか１項に記載の方法を実施するように配置されたマシン実行可能命令を記憶した非一時的マシン読取可能媒体。
【０１８２】
項目３４．ワイヤレスセルラー通信のための発見信号であって、
ａ．複数のリソース要素であって、各リソース要素は、それぞれのアンライセンス周波数とそれぞれのシンボルとに及ぶ、複数のリソース要素、
を含み、
ｂ．上記リソース要素はグループ化されて少なくとも１つのリソースブロックを形成し、
ｃ．少なくとも１つのリソース要素が規定データを伝える、
発見信号。
【０１８３】
項目３５．上記規定データは識別データである、項目３４に記載の発見信号。
【０１８４】
項目３６．上記規定データは、送信ポイント又はｅＮＢに関連付けられた識別データである、項目３５に記載の発見信号。
【０１８５】
項目３７．上記規定データは参照信号を含む、項目３４に記載の発見信号。
【０１８６】
項目３８．上記参照信号はセル固有参照信号である、項目３７に記載の発見信号。
【０１８７】
項目３９．上記規定データは少なくとも１つの同期信号を含む、項目３４に記載の発見信号。
【０１８８】
項目４０．上記少なくとも１つの同期信号は、プライマリ同期信号とセカンダリ同期信号とのうち少なくとも１つを含む、項目３９に記載の発見信号。
【０１８９】
項目４１．上記リソースブロックは、上記複数のリソース要素から形成された複数の上記シンボルを含む、項目３４に記載の発見信号。
【０１９０】
項目４２．上記複数のシンボルのうち少なくともある数のシンボルが、占有されたリソース要素を含む、項目４１に記載の発見信号。
【０１９１】
項目４３．上記複数のシンボルのうち各シンボルが、占有されたリソース要素を含む、項目４２に記載の発見信号。
【０１９２】
項目４４．アンライセンススペクトルを用いた送信のためのワイヤレス信号を構築する発見信号生成器であって、
ａ．時間ドメイン及び周波数ドメインにおいて区分された所定無線リソースを選択する手段であって、上記周波数ドメイン区分はそれぞれのアンライセンス周波数に対応する、手段と、
ｂ．各時間ドメイン区分について、上記周波数ドメイン信号のうちそれぞれ１つに関連付けられた周波数を有する少なくとも１つの信号を生成することにより、信号を作り出す手段と、
ｃ．上記時間ドメイン区分の各々の上記信号を組み合わせることにより、組み合わせられた信号を作成する手段と、
ｄ．上記の組み合わせられた信号を送信のために出力する手段と、
を含む発見信号生成器。
【０１９３】
項目４５．アンライセンススペクトルを用いるＬＴＥ  ｅＮＢによる送信のための発見信号を構築する方法であって、
ａ．物理リソースブロックの全体を通して時間ドメインと周波数ドメインとのうち少なくとも１つにおいて分散されたそれぞれのサブキャリアに関連付けられた信号を選択するステップと、
ｂ．上記の選択された信号を、少なくとも上記時間ドメイン内で連続であるそれぞれのリソース要素へとグループ化して、グループ化された選択された信号を形成するステップと、
ｃ．上記のグループ化された選択された信号を送信のために出力するステップと、
を含む方法。
【０１９４】
項目４６．上記選択された信号は、識別データ、それぞれのポートの有無にかかわらないセル固有参照信号、同期信号、プライマリ同期信号（ＰＳＳ）とセカンダリ同期信号（ＳＳＳ）とのうち少なくとも１つ、及び１つ又は１つより多くの位置決め信号、のうち１つ又は１つより多くを含む、項目４５に記載の方法。
【０１９５】
項目４７．実質的に添付図面のうちいずれかを参照して本明細書において説明され及び／又は該添付図面のうちいずれかに例示される装置（apparatus）。
【０１９６】
項目４８．実質的に添付図面のうちいずれかを参照して本明細書において説明され及び／又は該添付図面のうちいずれかに例示されるシステム。
【０１９７】
項目４９．実質的に添付図面のうちいずれかを参照して本明細書において説明され及び／又は該添付図面のうちいずれかに例示されるｅＮＢ。
【０１９８】
項目５０．実質的に添付図面のうちいずれかを参照して本明細書において説明され及び／又は該添付図面のうちいずれかに例示されるユーザ機器装置。
【０１９９】
項目５１．実質的に添付図面のうちいずれかを参照して本明細書において説明され及び／又は該添付図面のうちいずれかに例示されるマシン実行可能プログラム装置。
【０２００】
項目５２．実質的に添付図面のうちいずれかを参照して本明細書において説明され及び／又は該添付図面のうちいずれかに例示される非一時的マシン読取可能媒体。
【図１】
2017525309.tif 000006
【図２】
2017525309.tif 000007
【図３】
2017525309.tif 000008
【図４】
2017525309.tif 000009
【図５Ａ】
2017525309.tif 000010
【図５Ｂ】
2017525309.tif 000011
【図６Ａ】
2017525309.tif 000012
【図６Ｂ】
2017525309.tif 000013
【図７Ａ】
2017525309.tif 000014
【図７Ｂ】
2017525309.tif 000015
【図８Ａ】
2017525309.tif 000016
【図８Ｂ】
2017525309.tif 000017
【図９Ａ】
2017525309.tif 000018
【図９Ｂ】
2017525309.tif 000019
【図１０】
2017525309.tif 000020
【図１１Ａ】
2017525309.tif 000021
【図１１Ｂ】
2017525309.tif 000022
【図１２】
2017525309.tif 000023
【図１３】
2017525309.tif 000024
【図１４】
2017525309.tif 000025
【図１５】
2017525309.tif 000026
【国際調査報告】
2017525309.tif 000027
2017525309.tif 000028